(57)【特許請求の範囲】
【請求項１】
遊技盤と、
この遊技盤の遊技領域に設けられており、前記遊技領域を流下する遊技球を受入れる開口部を周面に有する筒状のカバーと、
このカバーの内側に設けられており、外面を前記カバーの内周面に対向させながら回転可能な回転体とを備えており、
前記回転体には、所定の位置に回転したときに前記開口部と連通し、前記開口部に受入れられた遊技球を受入れ可能な状態になるとともに、受入れられた遊技球を保持した状態で回転に伴って運ぶ保持部と、
この保持部と連通することにより、その保持部に保持されている遊技球を運ぶ途中で回転体の外部へ排出する排出口とが備えられたパチンコ機において、
前記回転体は、
回転中心を挟んで設けられており、それぞれが複数の遊技球を前記開口部から受入れて保持可能な１組の保持部と、
一方の保持部と他方の保持部との間を移動可能であるとともに、前記一方の保持部に突出可能な一端と、前記他方の保持部に突出可能な他端とを有し、前記一端は、前記他端が前記他方の保持部に保持されている遊技球に当接することにより前記一方の保持部に突出し、かつ、前記他方の保持部に保持されている遊技球の個数の増減に応じて前記一方の保持部への突出量を増減することにより前記一方の保持部に保持可能な遊技球の個数を増減させるように構成された受入個数調整部材と、
を備えたことを特徴とするパチンコ機。
【請求項２】
前記受入個数調整部材は、
前記一方の保持部が前記開口部と連通する位置に回転したときには、自重により下降し、前記一方の保持部に突出していた前記一端の突出量が減少し、かつ、前記他方の保持部が前記開口部と連通する位置に回転したときには、自重により下降し、前記他方の保持部に突出していた前記他端の突出量が減少するように構成されていることを特徴とする請求項１に記載のパチンコ機。
【請求項３】
前記排出口は、前記遊技盤の回転体の裏面であって、前記１組の保持部の少なくとも一方の保持部に保持されている遊技球が運ばれる経路上に、その保持部と連通可能に開口形成されていることを特徴とする請求項１または請求項２に記載のパチンコ機。
【請求項４】
前記排出口は、前記１組の保持部の少なくとも一方と連通可能に前記カバーに開口形成されていることを特徴とする請求項１ないし請求項３のいずれか１つに記載のパチンコ機。
【請求項５】
前記排出口は、前記１組の保持部のうち、複数の遊技球を保持している保持部において時間的に後から保持された遊技球のみを排出する箇所に開口形成されていることを特徴とする請求項１ないし請求項４のいずれか１つに記載のパチンコ機。
【請求項６】
前記排出口は、前記１組の保持部のうち、複数の遊技球を保持している保持部において時間的に先に保持された遊技球のみを排出する箇所に開口形成されていることを特徴とする請求項１ないし請求項５のいずれか１つに記載のパチンコ機。
【請求項７】
前記排出口から前記遊技盤の裏面へ排出された遊技球を前記遊技盤の遊技領域へ戻すための戻し口が開口形成されていることを特徴とする請求項１ないし請求項６のいずれか１つに記載のパチンコ機。
【請求項８】
前記排出口から遊技球が排出されたことを条件として入賞口を開口する入賞装置を備えたことを特徴とする請求項１ないし請求項７のいずれか１つに記載のパチンコ機。
【請求項９】
前記排出口から排出された遊技球が入賞可能な入賞口を開口する入賞装置を備えたことを特徴とする請求項１ないし請求項８のいずれか１つに記載のパチンコ機。
【請求項１０】
前記戻し口から戻された遊技球が入賞可能な入賞口を開口する入賞装置を備えたことを特徴とする請求項７に記載のパチンコ機。
【請求項１１】
前記排出口から排出された遊技球を受入れ可能な始動口と、
この始動口に遊技球が受入れられた場合に当りか否かを判定する判定手段と、
を備えたことを特徴とする請求項１ないし請求項１０のいずれか１つに記載のパチンコ機。
【請求項１２】
前記排出口が複数開口形成されており、
前記始動口が各排出口に対応してそれぞれ備えられていることを特徴とする請求項１１に記載のパチンコ機。
【請求項１３】
前記判定手段が前記当りと判定する確率が各始動口毎に異なるように設定されていることを特徴とする請求項１２に記載のパチンコ機。
【請求項１４】
前記排出口が複数備えられており、
大入賞口が開口してから閉口するまでを１ラウンドとした場合に、前記一方の保持部または他方の保持部に保持されている遊技球が第１の排出口から排出されたことが、所定数ラウンドを実行可能な大当り遊技において大入賞口が開口する条件に設定されており、かつ、前記ラウンドが実行されているときに前記一方の保持部または他方の保持部に保持されている遊技球が第２の排出口から排出されたことが、前記大入賞口が閉口する条件に設定されていることを特徴とする請求項１ないし請求項１３のいずれか１つに記載のパチンコ機。
【請求項１５】
前記一方の保持部または他方の保持部に保持されている遊技球が前記排出口から排出されたことが、大入賞口が開口するための条件に設定されており、かつ、前記戻し口から戻された遊技球が前記大入賞口の内部の特定領域を通過したことが、前記大入賞口の開閉が継続して行われるための条件に設定されていることを特徴とする請求項７に記載のパチンコ機。
【発明の詳細な説明】
【技術分野】
【０００１】
この発明は、遊技領域を流下する遊技球を受入れて回転方向に運ぶ回転体を備えたパチンコ機に関する。
【背景技術】
【０００２】
従来、この種のパチンコ機として、いわゆる権利物と呼ばれるパチンコ機が知られている。図２２は、そのパチンコ機に備えられた遊技盤の正面説明図であり、図２３は、図２２に示すパチンコ機に備えられた回転入賞装置の正面拡大図である。遊技盤５００へ発射された遊技球が始動口５０１に入賞すると、図柄表示装置５０２が横方向に配列された３つの表示領域にて複数の図柄をそれぞれ変動表示する。そして、変動開始から所定時間経過すると各表示領域にて所定の図柄が停止し、各停止した図柄の組合せが特定の態様（例えば３３３など）に揃うと特別入賞口５０３が所定の開閉パターンで開閉する。特別入賞口５０３の内部には、Ｖ入賞口５０４が設けられており、そのＶ入賞口５０４に入賞すると、権利が発生する。
そして、遊技球を右打ちし、遊技球が回転入賞装置６００に設けられた遊技球待機部６０４に停留すると、その遊技球は、常時回転している回転体６０１の周面に形成された凹部６０３に受入れられる。続いて、その遊技球は回転体６０１によって運ばれ、回転体６０１の裏面側に設けられた第３種始動口６０２から流出すると、所定の検出スイッチにより検出され、可動翼片６０５，６０５が開放動作し、大入賞口６０６，６０６が開口する。大入賞口の開口から所定時間経過したという条件、大入賞口へ所定個数入賞したという条件のどちらかが満足されると可動翼片６０５，６０５が閉成動作し、大入賞口６０６，６０６が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口５０４に入賞した場合も大当り遊技が終了となる。
【０００３】
【特許文献１】特開２００２−３０１２１７号公報（第７９〜８１段落、図１、図２）
【発明の開示】
【発明が解決しようとする課題】
【０００４】
しかし、前述した従来のパチンコ機は、遊技球を１個保持可能な凹部を周面に１つ有する回転入賞装置を永年に亘って使用しているため、遊技に新鮮味がなくなり、遊技者に飽きられてしまっている。
【０００５】
そこでこの発明は、上述の問題を解決するためになされたものであり、従来の遊技に飽きていた遊技者が、遊技に新鮮味を感じながら楽しむことができるパチンコ機を実現することを目的とする。
【課題を解決するための手段】
【０００６】
この発明は、上記目的を達成するため、請求項１に記載の発明では、遊技盤（５）と、この遊技盤（５）の遊技領域に設けられており、前記遊技領域を流下する遊技球を受入れる開口部（１１ａ）を周面に有する筒状のカバー（１１）と、このカバー（１１）の内側に設けられており、外面を前記カバー（１１）の内周面に対向させながら回転可能な回転体とを備えており、前記回転体には、所定の位置に回転したときに前記開口部（１１ａ）と連通し、前記開口部（１１ａ）に受入れられた遊技球を受入れ可能な状態になるとともに、受入れられた遊技球を保持した状態で回転に伴って運ぶ保持部と、この保持部と連通することにより、その保持部に保持されている遊技球を運ぶ途中で回転体の外部へ排出する排出口（１６ａ）とが備えられたパチンコ機において、前記回転体（２１）は、回転中心を挟んで設けられており、それぞれが複数の遊技球を前記開口部（１１ａ）から受入れて保持可能な１組の保持部（１４ｆ，１４ｇ）と、一方の保持部（１４ｆ）と他方の保持部（１４ｇ）との間を移動可能であるとともに、前記一方の保持部（１４ｆ）に突出可能な一端（１３ｄ）と、前記他方の保持部（１４ｇ）に突出可能な他端（１３ｅ）とを有し、前記一端（１３ｄ）は、前記他端（１３ｅ）が前記他方の保持部（１４ｇ）に保持されている遊技球に当接することにより前記一方の保持部（１４ｆ）に突出し、かつ、前記他方の保持部（１４ｇ）に保持されている遊技球の個数の増減に応じて前記一方の保持部（１４ｆ）への突出量を増減することにより前記一方の保持部（１４ｆ）に保持可能な遊技球の個数を増減させるように構成された受入個数調整部材（１３）と、を備えたという技術的手段を用いる。
なお、後述する第１ないし第９実施形態のパチンコ機が、それぞれ上記請求項１に係るパチンコ機に対応する。
【０００７】
請求項２に記載の発明では、前記受入個数調整部材（１３）は、前記一方の保持部（１４ｆ）が前記開口部（１１ａ）と連通する位置に回転したときには、自重により下降し、前記一方の保持部（１４ｆ）に突出していた前記一端（１３ｄ）の突出量が減少し、かつ、前記他方の保持部（１４ｇ）が前記開口部（１１ａ）と連通する位置に回転したときには、自重により下降し、前記他方の保持部（１４ｇ）に突出していた前記他端（１３ｅ）の突出量が減少するように構成されているという技術的手段を用いる。
なお、後述する第１ないし第９実施形態のパチンコ機が、それぞれ上記請求項２に係るパチンコ機に対応する。
【０００８】
請求項３に記載の発明では、請求項１または請求項２に記載のパチンコ機において、前記排出口（１６ａ）は、前記遊技盤（５）の回転体（２１）の裏面であって、前記１組の保持部（１４ｆ，１４ｇ）の少なくとも一方の保持部に保持されている遊技球が運ばれる経路上に、その保持部と連通可能に開口形成されているという技術的手段を用いる。
なお、後述する第１ないし第４実施形態および第６ないし第９実施形態のパチンコ機が、それぞれ上記請求項３に係るパチンコ機に対応する。
【０００９】
請求項４に記載の発明では、請求項１ないし請求項３のいずれか１つに記載のパチンコ機において、前記排出口（１１ｃ）は、前記１組の保持部（１４ｆ，１４ｇ）の少なくとも一方と連通可能に前記カバー（１１）に開口形成されているという技術的手段を用いる。
なお、後述する第２、第５および第８実施形態のパチンコ機が、それぞれ上記請求項４に係るパチンコ機に対応する。
【００１０】
請求項５に記載の発明では、請求項１ないし請求項４のいずれか１つに記載のパチンコ機において、前記排出口（１１ｃ）は、前記１組の保持部（１４ｆ，１４ｇ）のうち、複数の遊技球を保持している保持部において時間的に後から保持された遊技球のみを排出する箇所に開口形成されているという技術的手段を用いる。
なお、後述する第２ないし第５および第９実施形態のパチンコ機が、それぞれ上記請求項５に係るパチンコ機に対応する。
【００１１】
請求項６に記載の発明では、請求項１ないし請求項５のいずれか１つに記載のパチンコ機において、前記排出口（１６ｆ）は、前記１組の保持部（１４ｆ，１４ｇ）のうち、複数の遊技球を保持している保持部において時間的に先に保持された遊技球のみを排出する箇所に開口形成されているという技術的手段を用いる。
なお、後述する第３ないし第５実施形態のパチンコ機が、それぞれ上記請求項６に係るパチンコ機に対応する。
【００１２】
請求項７に記載の発明では、請求項１ないし請求項６のいずれか１つに記載のパチンコ機において、前記排出口（１６ｆ）から前記遊技盤（５）の裏面へ排出された遊技球を前記遊技盤（５）の遊技領域へ戻すための戻し口（５ａ）が開口形成されているという技術的手段を用いる。
なお、後述する第４実施形態のパチンコ機が、それぞれ上記請求項７に係るパチンコ機に対応する。
【００１３】
請求項８に記載の発明では、請求項１ないし請求項７のいずれか１つに記載のパチンコ機において、前記排出口（１６ａ）から遊技球が排出されたことを条件として入賞口（７２）を開口する入賞装置（７０）を備えたという技術的手段を用いる。
なお、後述する第１ないし第４実施形態、第６ないし第９実施形態のパチンコ機が、それぞれ上記請求項８に係るパチンコ機に対応する。
【００１４】
請求項９に記載の発明では、請求項１ないし請求項８のいずれか１つに記載のパチンコ機において、前記排出口（１１ｃ）から排出された遊技球が入賞可能な入賞口（７２）を開口する入賞装置（７０）を備えたという技術的手段を用いる。
なお、後述する第２および第８実施形態のパチンコ機が、それぞれ上記請求項９に係るパチンコ機に対応する。
【００１５】
請求項１０に記載の発明では、請求項７に記載のパチンコ機において、前記戻し口（５ａ）から戻された遊技球が入賞可能な入賞口（７２）を開口する入賞装置（７０）を備えたという技術的手段を用いる。
なお、後述する第４実施形態のパチンコ機が、上記請求項１０に係るパチンコ機に対応する。
【００１６】
請求項１１に記載の発明では、請求項１ないし請求項１０のいずれか１つに記載のパチンコ機において、前記排出口（１１ｃ，１１ｄ）から排出された遊技球を受入れ可能な始動口（８２，８３）と、この始動口（８２，８３）に遊技球が受入れられた場合に当りか否かを判定する判定手段（１１２）と、を備えたという技術的手段を用いる。
なお、後述する第５実施形態のパチンコ機が、上記請求項１１に係るパチンコ機に対応する。
【００１７】
請求項１２に記載の発明では、請求項１１に記載のパチンコ機において、前記排出口（１１ｃ，１１ｄ）が複数開口形成されており、前記始動口（８２，８３）が各排出口（１１ｃ，１１ｄ）に対応してそれぞれ備えられているという技術的手段を用いる。
なお、後述する第５実施形態のパチンコ機が、上記請求項１２に係るパチンコ機に対応する。
【００１８】
請求項１３に記載の発明では、請求項１２に記載のパチンコ機において、前記判定手段（１１２）が前記当りと判定する確率が各始動口（８２，８３）毎に異なるように設定されているという技術的手段を用いる。
なお、後述する第５実施形態のパチンコ機が、上記請求項１３に係るパチンコ機に対応する。
【００１９】
請求項１４に記載の発明では、請求項１ないし請求項１３のいずれか１つに記載のパチンコ機において、前記排出口（１６ａ，１６ｆ）が複数備えられており、大入賞口（７２）が開口してから閉口するまでを１ラウンドとした場合に、前記一方の保持部（１４ｆ）または他方の保持部（１４ｇ）に保持されている遊技球が第１の排出口（１６ａ）から排出されたことが、所定数ラウンドを実行可能な大当り遊技において大入賞口が開口する条件に設定されており、かつ、前記ラウンドが実行されているときに前記一方の保持部（１４ｆ）または他方の保持部（１４ｇ）に保持されている遊技球が第２の排出口（１６ｆ）から排出されたことが、前記大入賞口が閉口する条件に設定されているという技術的手段を用いる。
なお、後述する第３実施形態のパチンコ機が、上記請求項１４に係るパチンコ機に対応する。
【００２０】
請求項１５に記載の発明では、請求項７に記載のパチンコ機において、前記一方の保持部（１４ｆ）または他方の保持部（１４ｇ）に保持されている遊技球が前記排出口（１６ａ）から排出されたことが、大入賞口（７２）が開口するための条件に設定されており、かつ、前記戻し口（５ａ）から戻された遊技球が前記大入賞口（７２）の内部の特定領域を通過したことが、前記大入賞口（７２）の開閉が継続して行われるための条件に設定されているという技術的手段を用いる。
なお、後述する第４実施形態のパチンコ機が、上記請求項１５に係るパチンコ機に対応する。また、上記の括弧内の符号は、後述する実施形態において使用する符号と対応するものである。
【発明の効果】
【００２１】
（請求項１に係る発明の効果）
回転体は、遊技球を受入れて保持可能な１組の保持部を回転中心を挟んで設けているため、回転体が１回転する間に、遊技球が保持部に保持される機会が保持部の数だけ存在するので、保持部が１つしかない回転体を備えた従来のパチンコ機にはない新鮮味を感じながら遊技を楽しむことができる。
また、受入個数調整部材の一端は、他端が他方の保持部に保持されている遊技球に当接することにより、一方の保持部に突出し、かつ、他方の保持部に保持されている遊技球の個数の増減に応じて一方の保持部への突出量を増減することにより、一方の保持部に保持可能な遊技球の個数を増減させることができる。
従って、保持部が１つしかない回転体を備えた従来のパチンコ機では味わうことのできない変化に富んだ遊技を楽しむことができる。
例えば、他方の保持部に保持されている遊技球が１個から２個に増加したときに、一方の保持部に保持可能な遊技球の数が１個から０個に減少させることができる。
従って、常時、保持部に遊技球を保持可能な状態を回避することができるため、回転体における入賞を意図的に狙うような遊技が行われ難くすることができる。また、排出口への排出間隔が常時短いという状態を回避することもできる。
【００２２】
また、例えば、前述した権利物と呼ばれるパチンコ機では、大入賞口の開口中に、保持部に保持されている遊技球が排出口（第３種始動口）から排出されると、大入賞口が閉口し、次のラウンドが開始されるという特色を有するため、回転体の１回転に要する時間が略大入賞口の開口時間に合わせて設定されている場合は、各保持部にそれぞれ遊技球が保持された状態になると、保持部に保持されている遊技球が排出口から排出され、大入賞口の開口時間が終了する前に大入賞口が閉口する事態が起こり得る。また、１つの保持部に複数の遊技球が保持された場合は、大入賞口の開閉が連続して起き、ラウンドが進んでしまうといった事態も起こり得る。
そこで、遊技者は、大当り遊技が開始されると、大入賞口の開口時間が終了する前に、あるいは、大入賞口に規定数の遊技球が入賞する前に、保持部に保持されている遊技球が排出口から排出されないように留意しながら遊技球を発射する必要に迫られるため、非常にスリルのある遊技を楽しむことができる。
さらに、他方の保持部に保持されている遊技球が２個未満のときは、一方の保持部が遊技球を保持可能な状態となるようにすることができる。
従って、例えば、大入賞口への入賞が効率良く行われ、大入賞口の開口時間の半分が終了する前に、大入賞口への入賞数が規定の入賞数に達するような場合は、積極的に保持部を狙って遊技球を発射し、各保持部に遊技球が１個ずつ保持されるようにすることにより、ラウンドの進行を早めることができる。
【００２３】
（請求項２に係る発明の効果）
受入個数調整部材は、一方の保持部が開口部と連通する位置に回転したときには、自重により下降し、一方の保持部に突出していた一端の突出量が減少し、かつ、他方の保持部が開口部と連通する位置に回転したときには、自重により下降し、他方の保持部に突出していた他端の突出量が減少するように構成されているため、受入個数調整部材を移動させるための複雑な機械的構造やアクチュエータなどが不要なので、そのような機械的要素がない分、回転体の故障率を低減させることができる。
【００２４】
（請求項３に係る発明の効果）
排出口は、遊技盤の回転体の裏面であって、１組の保持部の少なくとも一方の保持部に保持されている遊技球が運ばれる経路上に、その保持部と連通可能に開口形成されているため、保持部に保持されている遊技球を、排出口から遊技盤の回転体の裏面へ排出することができる。
【００２５】
（請求項４に係る発明の効果）
排出口は、１組の保持部の少なくとも一方と連通可能にカバーに開口形成されているため、保持部に保持されている遊技球を、カバーを介して遊技領域へ排出することができる。
【００２６】
（請求項５に係る発明の効果）
排出口は、１組の保持部のうち、複数の遊技球を保持している保持部において時間的に後から保持された遊技球のみを排出する箇所に開口形成されているため、意図せず偶然に保持部に保持されたような遊技球でも１個のみでは排出口から排出されないようにすることができる。
また、保持部に保持されている遊技球を、保持部に保持された時間に関係なく排出口から排出する構造の回転体では味わうことのできない新鮮味のある遊技を楽しむことができる。
さらに、排出口から排出される遊技球を生み出すためには、所定の保持部に対して複数の遊技球が一度に連続して保持されるように遊技球を工夫して発射する必要があるため、遊技者の遊技球の発射技術を反映させることができるので、遊技に参加している意識が高まり、非常に面白い遊技を楽しむことができる。
【００２７】
（請求項６に係る発明の効果）
１組の保持部の少なくとも一方には、時間的に先に保持されている遊技球が排出口へ排出されることを阻止する部材が備えられているため、時間的に後から保持された遊技球のみを排出口から排出し、時間的に先に保持されている遊技球が排出口から排出されないように制限することができる。
従って、保持部に保持されている総ての遊技球が一度に排出口から排出される構造の回転体では味わうことのできない新鮮味のある遊技を楽しむことができる。また、保持されている遊技球が排出口から排出されることに対する期待を持つ期間を長くすることができる。
【００２８】
（請求項７に係る発明の効果）
排出口から遊技盤の裏面へ排出された遊技球を遊技盤の遊技領域へ戻すための戻し口が開口形成されているため、遊技盤の裏面へ排出された遊技球が再度遊技領域へ戻るという、従来にはない新鮮味があり、かつ、意外性のある遊技を楽しむことができる。
【００２９】
（請求項８に係る発明の効果）
排出口から遊技球が排出されたことを条件として入賞口を開口する入賞装置を備えている。つまり、遊技球が保持部に保持されることが、入賞口が開口する条件となるため、遊技者は、遊技球が保持部に受入れられて保持されるかどうか、非常にハラハラドキドキするスリルに溢れた遊技を楽しむことができる。
【００３０】
（請求項９に係る発明の効果）
排出口から排出された遊技球が入賞可能な入賞口を開口する入賞装置を備えている。つまり、保持部に保持された遊技球は、排出口から排出され、入賞口に入賞可能であるため、遊技者は、遊技球が保持部に受入れられて保持されるかどうか、非常にハラハラドキドキするスリルに溢れた遊技を楽しむことができる。
【００３１】
（請求項１０に係る発明の効果）
排出口から遊技盤の裏面へ排出された遊技球を遊技盤の遊技領域へ戻すための戻し口から戻された遊技球が入賞可能な入賞口を開口する入賞装置を備えている。つまり、保持部に保持された遊技球は、排出口から遊技盤の裏面へ排出され、戻し口から遊技領域に戻り、入賞口に入賞可能であるため、遊技者は、遊技球が保持部に受入れられて保持されるかどうか、非常にハラハラドキドキするスリルに溢れた遊技を楽しむことができる。
【００３２】
（請求項１１に係る発明の効果）
排出口から排出された遊技球を受入れ可能な始動口と、この始動口に遊技球が受入れられた場合に当りか否かを判定する判定手段とを備えている。つまり、保持部に保持された遊技球は、排出口から排出され、始動口に受入れられると、当りか否かが判定されるため、遊技者は、遊技球が保持部に受入れられて保持されるかどうか、非常にハラハラドキドキするスリルに溢れた遊技を楽しむことができる。
【００３３】
（請求項１２に係る発明の効果）
排出口が複数開口形成されており、始動口が各排出口に対応してそれぞれ備えられているため、１つの排出口と、それに対応する始動口が１つのみ設けられている構成よりも変化に富んだ遊技を楽しむことができる。
【００３４】
（請求項１３に係る発明の効果）
判定手段が当りと判定する確率が各始動口毎に異なるように設定されているため、その確率が各始動口に対して一律に設定されている構成よりも変化に富んだ遊技を楽しむことができる。
また、どの始動口が、当りと判定される確率が高いのか、非常にハラハラドキドキするスリルに溢れた遊技を楽しむことができる。
【００３５】
（請求項１４に係る発明の効果）
一方の保持部または他方の保持部に保持されている遊技球が第１の排出口から排出されたことが、所定数ラウンドを実行可能な大当り遊技において大入賞口が開口する条件に設定されているため、遊技者は、遊技球が一方の保持部または他方の保持部に保持されるまで遊技球の発射を継続するため、パチンコ機の稼働率を高めることができる。
しかも、遊技者は、いつ遊技球が一方の保持部または他方の保持部に保持されるかどうか、非常にハラハラドキドキするスリルに溢れた遊技を楽しむことができる。
また、ラウンドが実行されているときに一方の保持部または他方の保持部に保持されている遊技球が第２の排出口から排出されたことが、大入賞口が閉口する条件に設定されているため、遊技者は、遊技球が第２の排出口から排出されてしまわないか、非常にハラハラドキドキするスリルに溢れた遊技を楽しむことができる。
【００３６】
（請求項１５に係る発明の効果）
一方の保持部または他方の保持部に保持されている遊技球が排出口から排出されたことが、大入賞口が開口するための条件に設定されているため、遊技者は、遊技球が一方の保持部または他方の保持部に保持されるまで遊技球の発射を継続するため、パチンコ機の稼働率を高めることができる。
しかも、遊技者は、いつ遊技球が一方の保持部または他方の保持部に保持されるかどうか、非常にハラハラドキドキするスリルに溢れた遊技を楽しむことができる。
また、戻し口から戻された遊技球が大入賞口の内部の特定領域を通過したことが、大入賞口の開閉が継続して行われるための条件に設定されているため、遊技者は、遊技球が一方の保持部または他方の保持部に保持されるまで遊技球の発射を継続するため、パチンコ機の稼働率を高めることができる。
しかも、遊技者は、いつ遊技球が一方の保持部または他方の保持部に保持されるかどうか、非常にハラハラドキドキするスリルに溢れた遊技を楽しむことができる。また、戻し口から遊技領域に戻った遊技球が大入賞口の内部の特定領域を通過するかどうか、非常にハラハラドキドキするスリルに溢れた遊技を楽しむことができる。
【発明を実施するための最良の形態】
【００３７】
＜第１実施形態＞
［全体の主要構成］
まず、この発明の第１実施形態に係るパチンコ機の主要構成について図１を参照して説明する。図１は、そのパチンコ機の外観を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー１９が回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
【００３８】
前枠２の左側面には、プリペイドカードユニット６０が接続されており、プリペイドカードユニット６０には、プリペイドカードを挿入するカード挿入口６１が設けられている。カード挿入口６１の内部には、プリペイドカードに記録された情報（残り度数）を読取るとともに、その情報を貸球要求の数に応じて書換え、残り度数を算出する装置が設けられている。上受け皿６の前面には、遊技球の貸出しを行う場合に押す貸出ボタン５８と、カード挿入口６１に挿入されているプリペイドカードを取出し可能な位置まで返却する（戻す）ために押す返却ボタン５９と、プリペイドカードユニット６０により読取られたプリペイドカードの残り度数などを表示する度数表示部５７とが備えられている。
【００３９】
［遊技盤の主要構成］
次に、遊技盤５の主要構成について図２を参照して説明する。図２は遊技盤５を正面から見た概略説明図である。
遊技盤５の略中央には、センターケース３０が備えられている。センターケース３０には、複数の普通図柄を変動表示する普通図柄表示装置３１が備えられている。普通図柄表示装置３１は、横方向に３つの表示領域を有し、各表示領域において複数の普通図柄（例えば０〜６の７種類の普通図柄）からなる図柄列をそれぞれ変動表示（スクロール表示ともいう）する。センターケース３０の下方には、普通図柄始動口３２が設けられている。遊技盤５に発射された遊技球が普通図柄始動口３２に入賞すると普通図柄表示装置３１が普通図柄の変動表示を開始する。遊技球が普通図柄始動口３２に入賞したときに、当りかハズレかの判定（以下、当り判定という）が行われる。普通図柄表示装置３１は、普通図柄の変動を開始してから所定時間経過後に変動を停止し、当り判定の結果が当りであった場合は各表示領域に停止図柄として当り普通図柄を表示し、ハズレであった場合はハズレ普通図柄を表示する。
普通図柄の変動中に遊技球が普通図柄始動口３２に入賞したときは、普通図柄の変動開始が保留され、その保留数は、普通図柄表示装置３１の上方に設けられた保留数表示装置３６によって表示される。この実施形態では、保留数表示装置３６は、４個のＬＥＤを備えており、その点灯数により保留数を表示する。つまり、保留数表示装置３６は、最大４個の保留数を表示する。普通図柄表示装置３１は、普通図柄の変動開始から変動終了までを１回の変動表示とした場合に、保留数と同じ回数の変動表示を行う。なお、図柄の変動方向は、表示領域に対して縦方向または横方向のどちらでもよい。
【００４０】
普通図柄始動口３２の下方には、普通図柄表示装置３１が停止図柄として当り普通図柄を表示したときに作動する普通電動役物４０が設けられている。普通電動役物４０は、当り普通図柄が停止表示されたときに開放する開閉部材４３を備えている。この実施形態では、開閉部材４３は、閉成時に正面から見ると横長の板状に形成されており、開放された開閉部材４３の裏面側には、遊技球の入賞領域として一般領域および特別領域が形成されている。この実施形態では、中央に特別領域４１が形成されており、その両端に一般領域４２がそれぞれ形成されている。
センターケース３０の右方には、回転入賞装置１０が設けられており、その下方には、第３種特別電動役物（以下、特別電動役物という）７０が設けられている。特別電動役物７０は大入賞口７２を開閉する開閉部材７１を備えており、この実施形態では、開閉部材７１は、閉成時に正面から見ると横長の板状に形成されている。遊技球が普通電動役物４０の特別領域４１に入賞すると大当りとなり、大入賞口７２を開口させる権利が発生し、遊技球が回転入賞装置１０に受入れられ、回転入賞装置１０の裏面側に設けられた第３種始動口（図４において符号１６ａで示す）に入賞すると第１ラウンドが開始され、開閉部材７１が開放され、大入賞口７２が開口する。
また、遊技盤５には、左入賞口３３、右下入賞口３４、左下入賞口３５、風車４、アウト口８などが設けられている。なお、遊技盤５には、遊技球の流下経路を変化させるための多くの遊技釘（図示せず）が打ち込まれている。
【００４１】
［回転入賞装置１０の構造］
次に、回転入賞装置１０の構造について図３および図４を参照して説明する。
図３は、回転入賞装置１０の斜視図である。図４は、回転入賞装置１０の分解斜視図である。図５は、回転体２１が回転する様子を前板１２を外して示す縦断面説明図である。図５（Ａ）は回転体２１の第１の保持部１４ｆの開口部とカバー１１の開口部１１ａとが一致した状態を示す説明図であり、図５（Ｂ）は第１の保持部１４ｆに２個の遊技球が保持された状態を示す説明図であり、図５（Ｃ）は回転体２１が時計回りに（１／２）回転した状態を示す説明図であり、図５（Ｄ）は第１の保持部１４ｆが第３種始動口１６ａと連通した状態を示す説明図であり、図５（Ｅ）は第１の保持部１４ｆに保持されている遊技球Ｐ１が第３種始動口１６ａに入賞することろを示す説明図であり、図５（Ｆ）は遊技球Ｐ１が第３種始動口１６ａに入賞した後の状態を示す説明図である。
【００４２】
図３および図４に示す回転体２１の各保持部は、それぞれ遊技球を最大１個保持可能に形成されており、図５に示す回転体２１の各保持部は、それぞれ遊技球を最大２個保持可能に形成されている。この実施形態では、図５に示す回転体２１を有する回転入賞装置１０を使用するが、回転入賞装置１０の構成については、図３および図４に示す回転入賞装置１０を参照して説明する。図５は、遊技球の保持状態が見えるようにするため、前板１２を外した状態を示している。
図３に示すように、回転入賞装置１０は、カバー１１と、カバー１１の内部に回転可能に設けられた回転体２１と、カバー１１を遊技盤５に取付けるための取付板１６と、回転体２１を回転させるモータ２０とを備える。図４に示すように、カバー１１の周面には、上方から流下してきた遊技球を受入れるための開口部１１ａが形成されている。この実施形態では、カバー１１は、後面が開口した円筒形状に形成されており、その周面の上部に開口部１１ａが形成されている。カバー１１の後端には、取付板１６の孔１６ｂに嵌め込むための突起部１１ｂが形成されている。この実施形態では、突起部１１ｂは、孔１６ｂと対応する個所に計３個形成されている（図面の都合上、図中では突起部１１ｂが１個所だけ描かれている）。また、カバー１１は透明の合成樹脂により形成されており、内部の回転体２１が回転する様子を見ることができるようになっている。
【００４３】
回転体２１は、前板１２と、受入個数調整部材１３と、外周部材１４ａ，１４ｂと、後板１５とから構成されている。前板１２および後板１５は、外周部材１４ａ，１４ｂを前後から挟み込んで固定する役割をする。また、前板１２および後板１５により固定された外周部材１４ａ，１４ｂは、相対向する内面間に空間を形成し、その空間に受入個数調整部材１３を移動自在に収容する役割をする。
前板１２は、略円板形状に形成されており、その周面には、遊技球を保留するための凹部１２ａ，１２ｂが対称位置に形成されている。図４に示す凹部１２ａ，１２ｂは、それぞれ遊技球を最大１個保持可能な大きさに形成されているが、この実施形態にて使用する回転体２１の凹部１２ａ，１２ｂは、図５に示すように、それぞれ２個の遊技球を回転中心方向に向けて重ねて保持可能な大きさに形成されている。また、  凹部１２ａ，１２ｂは、上方を向いているときに、保留されている２個の遊技球のうち、後から保持された遊技球Ｐ２の頭部がカバー１１の内周面に当接しない大きさに形成されている（図５（Ｂ）参照）。この実施形態では、凹部１２ａ，１２ｂは、それぞれ正面から見てＵ字形状に形成されている。
前板１２の中心には、モータ２０の回転シャフト２０ａを挿通するための挿通孔１２ｄが前後方向に貫通形成されている。前板１２の後面には、外周部材１４ａ，１４ｂの前面に形成された孔１４ｅに嵌め込むための突起部１２ｃが形成されている。この実施形態では、突起部１２ｃは、孔１４ｅと対応する個所に計４個形成されている（図面の都合上、図中では突起部１２ｃが３個だけ描かれている）。また、前板１２は、カバー１１の内側と接触しないように回転するために、カバー１１の内径よりも小さい直径に形成されている。
【００４４】
後板１５は、前板１２と同じ形状に形成されており、前板１２とは前後が逆向きに配置されている。後板１５には、前板１２の凹部１２ａ，１２ｂと同じ位置に凹部１５ａ，１５ｂが形成されている。また、後板１５の中心には、モータ２０の回転シャフト２０ａを挿通するための挿通孔１５ｄが前後方向に貫通形成されている。また、後板１５の前面には、外周部材１４ａ，１４ｂの後面に形成された孔（孔１４ｅと対応する位置に形成されており、図面では見えない）に嵌め込むための突起部１５ｃが形成されている。この実施形態では、突起部１５ｃは、図示しない孔と対応する個所に計４個形成されている。
外周部材１４ａは、円柱を中心軸と平行に１／３に切断した場合の曲面を有する側の形状に近い形状に形成されている。また、外周部材１４ａは、曲面を外側に向けて配置されており、内面の中央には平面部１４ｃが形成されている。また、平面部１４ｃの両端部から各先端にかけての部分は、前板１２の凹部１２ａ，１２ｂおよび後板１５の凹部１５ａ，１５ｂの内周側面と一致する形状に形成されている。外周部材１４ｂは、外周部材１４ａと同じ形状に形成されており、外周部材１４ａとは左右が逆向きに配置されている。外周部材１４ａ，１４ｂの前面の各孔１４ｅに前板１２の対応する突起部１２ｃをそれぞれ嵌め込み、後面の図示しない各孔に後板１５の対応する突起部１５ｃをそれぞれ嵌め込むと、外周部材１４ａ，１４ｂの各平面部１４ｃ，１４ｃ間には、受入個数調整部材１３を収容するための空間１４ｄが形成される。
【００４５】
受入個数調整部材１３は、縦断面が長円形状に形成されており、その内部には、モータ２０の回転シャフト２０ａを挿通するための長孔１３ａが前後方向に貫通形成されている。長孔１３ａは、回転シャフト２０ａの外径よりも大きく形成されており、図５に示すように、回転シャフト２０ａは、長孔１３ａの内部を相対的に移動可能になっている。受入個数調整部材１３は、外側の平面部１３ｂを外周部材１４ａ，１４ｂの平面部１４ｃとそれぞれ対向させて収容されている。受入個数調整部材１３の外側の平面部間の幅は、空間１４ｄの間隔よりも少し小さく形成されており、受入個数調整部材１３が空間１４ｄ内を長手方向に滑らかに移動できるようになっている。
外周部材１４ａ，１４ｂと、これらを前後から固定する前板１２および後板１５と、空間１４ｄに収容された受入個数調整部材１３とで回転体２１が構成されており、前板１２の凹部１２ａと、空間１４ｄの上方に形成された空間と、後板１５の凹部１５ａとで形成される空間により第１の保持部１４ｆが形成されている。また、前板１２の凹部１２ｂと、空間１４ｄの下方に形成された空間と、後板１５の凹部１５ｂとで形成される空間により第２の保持部１４ｇが形成されている。
【００４６】
取付板１６は、略円板形状に形成されており、カバー１１の突起部１１ｂを嵌め込むための孔１６ｂが前後方向に貫通形成されている。また、取付板１６の中心には、モータ２０の回転シャフト２０ａを挿通するための挿通孔１６ｄが前後方向に貫通形成されている。さらに、取付板１６には、前方から見て挿通孔１６ｄに対して時計の１０時方向の位置には、回転体２１により運ばれた遊技球を後方へ排出するための第３種始動口１６ａが前後方向に貫通形成されている。この実施形態にて使用する回転入賞装置１０では、第３種始動口１６ａは、７時３０分の方向に形成されている（図５）。
さらに、取付板１６の前面の周囲には、取付板１６を遊技盤５に取付けるためのネジを挿通するためのネジ挿通孔１６ｃが前後方向に貫通形成されている。この実施形態では、４個のネジ挿通孔１６ｃが形成されている。
【００４７】
モータ２０の回転シャフト２０ａは、取付板１６、後板１５、受入個数調整部材１３および前板１２からなる回転体２１に挿通する長さに形成されている。また、回転シャフト２０ａの一部は、断面が非円形に形成されており、前板１２の挿通孔１２ｄおよび後板１５の挿通孔１５ｄは、それぞれ上記回転シャフト２０ａの一部の外形と合致する形状に形成されている。つまり、回転シャフト２０ａの回転時に回転体２１が空転しないようになっている。また、モータ２０の後部周面には、モータ２０を遊技盤５の裏面側の所定個所に固定するための固定部材２０ｂが設けられており、固定部材２０ｂには、ネジを挿通するネジ挿通孔２０ｃが前後方向に貫通形成されている（実際には図示されている固定部材２０ｂとは反対側に固定部材２０ｂがもう１つ設けられており、同様にその固定部材２０ｂにはネジ挿通孔２０ｃが前後方向に貫通形成されている）。
モータ２０は遊技盤５の裏面側に取付けられており、回転シャフト２０ａが遊技盤５の裏面から表面に挿通され、それに回転体２１が挿通固定され、その回転体２１を覆うようにしてカバー１１が取付板１６に取付けられている。
【００４８】
［回転入賞装置１０の動作］
次に、回転入賞装置１０の動作を説明する。回転体２１は、モータ２０の駆動により常時一定速度（例えば、１０秒で１回転）で右回転（時計回り）している。今、図５（Ａ）に示すように、回転体２１の第１の保持部１４ｆの開口部と、カバー１１の開口部１１ａとが一致した状態になると、開口部１１ａを介して第１の保持部１４ｆに遊技球を最大２個受入れて保持可能になる。この状態では、空間１４ｄに収容された受入個数調整部材１３は、その自重により下がっており、長孔１３ａに挿通された回転シャフト２０ａにぶら下がっている状態となる。つまり、第２の保持部１４ｇを塞いだ状態となる。また、この状態では、受入個数調整部材１３の他端１３ｅと、カバー１１の内周面との間には隙間が形成され、他端１３ｅがカバー１１の内周面に接触しないようになっている。
ここで、図５（Ｂ）に示すように、カバー１１の開口部１１ａから第１の保持部１４ｆに２個の遊技球Ｐ１，Ｐ２が連続して受入れられて保持されたとする。これら保持された２個の遊技球Ｐ１，Ｐ２は、回転体２１の回転に伴って時計回りに運ばれ、回転体２１が図５（Ｂ）に示す状態から（１／２）回転すると、図５（Ｃ）に示すように、第１の保持部１４ｆが真下（時計の６時の位置）に到達し、第１の保持部１４ｆと回転中心を挟んで反対側に設けられた第２の保持部１４ｇは真上（時計の１２時の位置）に到達する。このとき、受入個数調整部材１３の一端１３ｄは、第１の保持部１４ｆに先に保持された遊技球Ｐ１の頭部に当接し、下降が阻止され、他端１３ｅが第２の保持部１４ｇの内部上方まで突出するため、第２の保持部１４ｇは、遊技球を受入れ不可能な状態になる。
【００４９】
そして、さらに回転体２１が時計回りに回転し、図５（Ｄ）に示すように、第１の保持部１４ｆが第３種始動口１６ａと連通すると、第１の保持部１４ｆに後から保持された遊技球Ｐ２が第３種始動口１６ａに入賞する。続いて、図５（Ｅ）に示すように、第１の保持部１４ｆに先に保持されていた遊技球Ｐ１が第３種始動口１６ａに入賞する。続いて、図５（Ｆ）に示すように、遊技球Ｐ１に当接していた受入個数調整部材１３の一端１３ｄは、遊技球Ｐ１，Ｐ２がなくなるため、第３種始動口１６ａの方向へ移動し、第１の保持部１４ｆを塞ぐ状態になる。
以上のように、回転体２１には、１８０度対称の位置に２つの保持部が備えられているため、回転体２１が（１／２）回転する毎に遊技球を受入れて保持する機会が巡ってくる。また、一方の保持部に遊技球が２個保持されると、他方の保持部は遊技球を受入れ不可能な状態になる。さらに、一方の保持部に遊技球が１個のみ保持された場合は、受入個数調整部材１３は、他方の保持部の略中間の深さまで突出するため、他方の保持部は遊技球を１個のみ受入れ可能な状態になる。
【００５０】
［パチンコ機１の電気的構成］
次に、パチンコ機１の主な電気的構成についてそれをブロックで示す図６を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、特別領域スイッチ（ＳＷ）４１ａまたは第３種始動口スイッチ（ＳＷ）１６ｅがオンしたか否かの判定、普通図柄の当りかハズレかの判定、普通電動役物ソレノイド（ＳＬ）４４の制御、大入賞口ソレノイド（ＳＬ）７４の制御、モータ２０の制御、入賞の検出、入賞数の計数などを実行する。
ＲＯＭ１１４には、メインＣＰＵ１１２が各種制御、判定および検出などを実行するための各種制御プログラム、制御プログラム実行時に参照する各種テーブルなどが記録されている。ＲＡＭ１１６は、保留数や入賞数などを記憶する記憶領域と、メインＣＰＵ１１２の処理結果などの遊技中に発生する各種データおよびＲＯＭ１１４から読出された制御プログラムなどを一時的に格納する記憶領域と、電源遮断時に停電直前の遊技状態を示すデータなどをバックアップして記憶するバックアップ領域とを備える。
主制御基板１００には、次に記載するものが電気的に接続されている。特別領域スイッチ（ＳＷ）４１ａ、第３種始動口スイッチ（ＳＷ）１６ｅ、普通図柄表示装置３１を制御する図柄制御基板３８、遊技中にスピーカ（図示せず）から出力される効果音などを制御する音声制御基板６７、保留数表示装置３６や装飾用ＬＥＤやランプ類などの点灯・点滅を制御するランプ制御基板３００、電源基板６４、賞球および貸球の払出しなどを制御する払出制御基板２００、当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００５１】
払出制御基板２００には、主制御基板１００から送信されてくる賞球コマンド、プリペイドカードユニット６０からＣＲ接続基板５６を介して送信されてくる貸球要求信号などを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、払出すべき賞球または貸球の総数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球総数などを示すデータをバックアップして記憶するバックアップ領域を備える。
また、払出制御基板２００には、電源基板６４、発射モータ１９ｃを駆動するための発射モータ駆動基板１９ａ、遊技枠情報端子基板５２および払出中継基板５５が電気的に接続されている。発射モータ駆動基板１９ａには、発射モータ１９ｃ、発射モータ駆動基板１９ａから発射モータ１９ｃへ駆動信号を出力させるための発射スイッチ（ＳＷ）１９ｂが電気的に接続されている。
【００５２】
遊技枠中継基板５３には、下受け皿７が遊技球で満杯になったことを検出する下皿満杯検出スイッチ（ＳＷ）６５、球切れを検出する球切れ検出スイッチ（ＳＷ）６６およびセンサ中継基板５４が電気的に接続されている。センサ中継基板５４は、払出装置６２に備えられた払出球を検出する前部払出センサ６２ａ、後部払出センサ６２ｂおよび払出中継基板５５と電気的に接続されている。払出中継基板５５には、遊技球の払出しを行う部材を駆動する払出モータ６２ｃが電気的に接続されている。
盤面中継基板５１には、普通電動役物ソレノイド（ＳＬ）４４、普通図柄始動口３２を通過した遊技球を検出する普通図柄始動口スイッチ（ＳＷ）３２ａ、一般領域４２または特別領域４１に入賞した遊技球を検出するカウントスイッチ（ＳＷ）７２ａ、大入賞口７２に入賞した遊技球を検出する大入賞口スイッチ（ＳＷ）７３、左入賞口３３に入賞した遊技球を検出する左入賞口スイッチ（ＳＷ）３３ａ、右下入賞口３４に入賞した遊技球を検出する右下入賞口スイッチ（ＳＷ）３４ａ、左下入賞口３５に入賞した遊技球を検出する左下入賞口スイッチ（ＳＷ）３５ａおよび大入賞口中継基板５０が電気的に接続されている。
【００５３】
大入賞口中継基板５０には、モータ２０と、開閉部材７１を開閉する駆動源である大入賞口ソレノイド（ＳＬ）７４とが電気的に接続されている。電源基板６４は、ＣＲ接続基板５６と電気的に接続されており、ＣＲ接続基板５６には、度数表示部５７（図１）に残り度数を表示するための回路が搭載された度数表示基板５７ａと、プリペイドカードユニット６０とが電気的に接続されている。度数表示基板５７ａには、貸出ボタン５８と、返却ボタン５９と、貸出ボタンランプ５８ａとが電気的に接続されている。
電源基板６４は、ＡＣ２４Ｖ（５０Ｈｚ／６０Ｈｚ）の主電源６３から電源の供給を受け、各基板および装置へ動作電源を供給する。図示しないが、電源基板６４には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００５４】
［主な遊技の流れ］
次に、主な遊技の流れを説明する。遊技盤５へ発射された遊技球が普通図柄始動口３２（図２）に入賞し、普通図柄始動口スイッチ３２ａ（図６）により検出されると、普通図柄表示装置３１（図２）が横方向に配列された３つの表示領域にて複数の普通図柄をそれぞれ変動表示する。また、メインＣＰＵ１１２（図６）は、遊技球が普通図柄始動口スイッチ３２ａにより検出されたときに当りかハズレかを判定する。そして、普通図柄表示装置３１は、普通図柄の変動開始から所定時間経過すると、メインＣＰＵ１１２の判定結果に対応する普通図柄を停止図柄として各表示領域に表示する。ここで、当り普通図柄が表示されると、普通電動役物ソレノイド４４（図６）が駆動され、開閉部材４３（図２）が開放される。そして、遊技球が特別領域４１（図２）に入賞し、特別領域スイッチ４１ａ（図６）により検出されると、大入賞口７２（図２）を開口させる権利が発生する。そして、遊技者は、遊技球を遊技盤の右側へ発射する、いわゆる右打ちを行う。このとき、遊技球がカバー１１の開口部１１ａ（図３）に受入れられ、回転体２１の周面上に停留した状態になると、回転体２１には第１の保持部１４ｆおよび第２の保持部１４ｇ（図３）の２つの保持部が１８０度対称の位置に設けられているため、回転体２１が少なくとも（１／２）回転すれば、停留していた遊技球をいずれかの保持部に受入れて保持させることができる。このため、遊技者は、遊技球が保持部に受入れられるまでに時間がかかっていた従来のように苛立つこともない。
【００５５】
そして、遊技球が回転体２１の第１の保持部１４ｆまたは第２の保持部１４ｇに受入れられ、回転する回転体２１によって運ばれる。そして、保持部に保持されていた遊技球が第３種始動口１６ａ（図５）から排出され、第３種始動口スイッチ１６ｅ（図６）によって検出されると大入賞口ソレノイド７４（図６）が駆動され、大入賞口７２（図２）が開口し、大当り遊技が開始する。なお、回転体２１が１回転に要する時間は、大入賞口７２に規定数の遊技球が入賞するために十分な時間（例えば１０秒）に設定されている。
そして、大入賞口７２の開口から所定時間経過すると、あるいは、大入賞口７２へ所定個数入賞すると、大入賞口ソレノイド７４が駆動停止され、大入賞口７２が閉口する。続いて、遊技球が第３種始動口スイッチ１６ｅによって検出されると再度大入賞口７２が開口する。このように、大入賞口７２の開口から閉口まで（例えば、大入賞口７２の開口時間は１０秒）を１ラウンドとして所定数のラウンドを実行可能であり、所定数のラウンドが実行されると大当り遊技が終了する。また、大当り遊技中に停止図柄として当り普通図柄が表示され、特別領域４１に入賞した場合も大当り遊技が終了となる。
【００５６】
［第１実施形態の効果］
（１）以上のように、上述の第１実施形態のパチンコ機１を使用すれば、回転体２１は、遊技球を受入れて保持可能な１組の保持部１４ｆ，１４ｇを回転中心を挟んで設けているため、回転体２１が１回転する間に、遊技球が保持部１４ｆ，１４ｇに保持される機会が２回存在するので、保持部が１つしかない回転体を備えた従来のパチンコ機にはない新鮮味を感じながら遊技を楽しむことができる。
（２）また、受入個数調整部材１３の一端は、他端が他方の保持部に保持されている遊技球に当接することにより、一方の保持部に突出し、かつ、他方の保持部に保持されている遊技球の個数の増減に応じて一方の保持部への突出量を増減することにより、一方の保持部に保持可能な遊技球の個数を増減させることができる。
従って、保持部が１つしかない回転体を備えた従来のパチンコ機では味わうことのできない変化に富んだ遊技を楽しむことができる。
【００５７】
（３）さらに、一方の保持部に遊技球が２個保持された場合は、他方の保持部には遊技球を保持不可能となるため、常時、保持部に遊技球を保持可能な状態を回避することができるので、回転体における入賞を意図的に狙うような遊技が行われ難くすることができる。
（４）遊技者は、大当り遊技が開始されると、大入賞口７２の開口時間が終了する前に、あるいは、大入賞口７２に規定数の遊技球が入賞する前に、保持部に保持されている遊技球が第３種始動口１６ａに入賞しないように留意しながら遊技球を発射する必要に迫られるため、非常にスリルのある遊技を楽しむことができる。
（５）他方の保持部に保持されている遊技球が２個未満のときは、一方の保持部が遊技球を保持可能な状態となるようにすることができる。
従って、大入賞口７２への入賞が効率良く行われ、大入賞口７２の開口時間の半分が終了する前に、大入賞口７２への入賞数が規定の入賞数に達するような場合は、積極的に保持部を狙って遊技球を発射し、各保持部に遊技球が１個ずつ保持されるようにすることにより、ラウンドの進行を早めることができる。
【００５８】
（６）受入個数調整部材１３は、一方の保持部がカバー１１の開口部１１ａと連通する位置に回転したときには、自重により下降し、一方の保持部に突出していた一端の突出量が減少し、かつ、他方の保持部が開口部１１ａと連通する位置に回転したときには、自重により下降し、他方の保持部に突出していた他端の突出量が減少するように構成されているため、受入個数調整部材を移動させるための複雑な機械的構造やアクチュエータなどが不要なので、そのような機械的要素がない分、回転体２１の故障率を低減させることができる。
（７）第３種始動口１６ａは、遊技盤５の回転体２１の裏面であって、少なくとも一方の保持部に保持されている遊技球が運ばれる経路上に、その保持部と連通可能に開口形成されているため、保持部に保持されている遊技球を第３種始動口１６ａに入賞させることができる。
（８）保持部に保持されている遊技球が第３種始動口１６ａに入賞したことを条件として大入賞口７２を開口する特別電動役物７０を備えているため、遊技者は、遊技球が保持部に受入れられて保持されるかどうか、非常にハラハラドキドキするスリルに溢れた遊技を楽しむことができる。
【００５９】
＜第２実施形態＞
次に、この発明の第２実施形態について図７および図８を参照して説明する。
この実施形態のパチンコ機は、一方の保持部に遊技球が２個保持されている場合と、各保持部に遊技球が１個ずつ保持されている場合にのみ、遊技球が第３種始動口１６ａに入賞可能になることを特徴とする。
図７（Ａ）は、第１の保持部１４ｆがカバー１１の開口部１１ａを介して遊技球を受入れ可能な状態になったところを示す説明図であり、図７（Ｂ）は第１の保持部１４ｆに２個の遊技球が保持された状態を示す説明図であり、図７（Ｃ）は第１の保持部１４ｆが第３種始動口１６ａと連通した状態を示す説明図であり、図７（Ｄ）は回転体が（１／２）回転した状態を示す説明図であり、図７（Ｅ）は第１の保持部１４ｆに最初に保持されていた１個目の遊技球Ｐ１が排出口１１ｃから排出された状態を示す説明図である。
図８（Ａ）は第１の保持部１４ｆに遊技球が１個保持されている状態を示す説明図であり、図８（Ｂ）は第１の保持部１４ｆおよび第２の保持部１４ｇにそれぞれ遊技球が１個ずつ保持された状態を示す説明図であり、図８（Ｃ）は第２の保持部１４ｇが第３種始動口１６ａと連通した状態を示す説明図であり、図８（Ｄ）は第１の保持部１４ｆに最初に保持されていた１個目の遊技球Ｐ１が排出口１１ｃから排出された状態を示す説明図である。
なお、この実施形態のパチンコ機は、カバーの構造および第３種始動口の形成位置以外は、第１実施形態のパチンコ機と同一の構成および機能であるため、その同一部分の説明を簡略化または省略し、その同一の構成については同一の符号を用いて説明する。
【００６０】
回転体２１およびカバー１１を備えた回転入賞装置は、特別電動役物７０（図２）の上方に備えられている。図７に示すように、第３種始動口１６ａは、回転体２１の裏面の遊技盤５であって、回転体２１の回転中心から見て右斜め上（時計の１時３０分の位置）に開口形成されている。また、その形成位置は、一方の保持部に２個の遊技球が保持されている場合に後から保持された２個目の遊技球Ｐ２の移動経路（回転軌跡）上であり、各保持部にそれぞれ１個の遊技球が保持されている場合に後から保持された遊技球の移動経路（回転軌跡）上でもある。
また、回転体２１の回転中心から見てカバー１１の周面の左斜め下（時計の７時３０分の位置）には、第１の保持部１４ｆまたは第２の保持部１４ｇに保持されている遊技球を排出するための排出口１１ｃが開口形成されている。
【００６１】
図７（Ａ）に示すように、第１の保持部１４ｆが真上（時計の１２時の位置）に到達し、カバー１１の開口部１１ａと連通する状態になると、開口部１１ａを介して遊技球を連続２個受入れて保持可能な状態になる。そして、図７（Ｂ）に示すように、開口部１１ａを介して２個の遊技球Ｐ１，Ｐ２が第１の保持部１４ｆに受入れられて保持されると、それら２個の遊技球Ｐ１，Ｐ２は、回転体２１の回転に伴って時計回りに運ばれる。
そして、図７（Ｃ）に示すように、回転体２１が図７（Ｂ）に示す状態から（１／８）回転すると、第１の保持部１４ｆが右斜め上（時計の１時３０分の位置）に到達し、第１の保持部１４ｆと第３種始動口１６ａとが連通する。すると、第１の保持部１４ｆに後から保持された２個目の遊技球Ｐ２のみが第３種始動口１６ａから遊技盤５の裏面側へ排出される。
【００６２】
そして、第３種始動口１６ａから排出されなかった遊技球Ｐ１は第１の保持部１４ｆに保持された状態で運ばれ、回転体２１が図７（Ｂ）に示す状態から（１／２）回転すると、図７（Ｄ）に示すように、受入個数調整部材１３の一端１３ｄが、遊技球Ｐ１の頭部によって支持され、他端１３ｅが第２の保持部１４ｇの中程まで突出した状態になり、第２の保持部１４ｇは遊技球１個を受入れ可能となる。
そして、さらに回転体２１が回転し、図７（Ｅ）に示すように、第１の保持部１４ｆとカバー１１の排出口１１ｃとが連通すると、第１の保持部１４ｆに保持されていた遊技球Ｐ１が第１の保持部１４ｆから転動し、排出口１１ｃから遊技領域へ排出される。この排出された遊技球Ｐ１は、特別電動役物７０が大入賞口７２を開口している場合は、その大入賞口７２に入賞する可能性を有する。
以上のように、一方の保持部に遊技球が一度に２個保持された場合に、後から保持された２個目の遊技球が第３種始動口１６ａから遊技盤５の裏面側へ排出される。
【００６３】
また、図８（Ａ）に示すように、第１の保持部１４ｆに遊技球Ｐ１が１個のみ保持され、回転体２１が（１／２）回転したときに、図８（Ｂ）に示すように、第２の保持部１４ｇに遊技球Ｐ２が１個のみ保持された場合は、図８（Ｃ）に示すように、第２の保持部１４ｇに保持されていた遊技球Ｐ２が第３種始動口１６ａから遊技盤５の裏面側へ排出される。また、図８（Ｄ）に示すように、第１の保持部１４ｆに保持されていた遊技球Ｐ１は、カバー１１の排出口１１ｃから遊技領域へ排出される。
つまり、各保持部に遊技球が１個ずつ保持された場合は、後から保持された遊技球のみが第３種始動口１６ａから遊技盤５の裏面側へ排出される。
【００６４】
［第２実施形態の効果］
（１）以上のように、第２実施形態のパチンコ機を使用すれば、第３種始動口１６ａは、２個の遊技球を保持している保持部において時間的に後から保持された遊技球のみを排出する箇所に開口形成されているため、意図せず偶然に保持部に保持されたような遊技球でも全体で１個のみでは第３種始動口１６ａから排出されないようにすることができる。
（２）また、各保持部の全体で１個のみ保持された遊技球をカバー１１の排出口１１ｃから排出することができる。
（３）さらに、保持部に保持されている遊技球を、保持部に保持された時間に関係なく第３種始動口から排出する構造の回転体では味わうことのできない新鮮味のある遊技を楽しむことができる。
【００６５】
（４）第３種始動口１６ａから排出される遊技球を生み出すためには、所定の保持部に対して２個の遊技球が連続して保持されるように、あるいは、各保持部に遊技球が１個ずつ保持されるように遊技球を工夫して発射する必要があるため、遊技者の遊技球発射技術を反映させることができるので、遊技に参加している意識が高まり、非常に面白い遊技を楽しむことができる。
（５）カバー１１の排出口１１ｃから遊技領域へ排出された遊技球が入賞可能な大入賞口７２を開口する特別電動役物７０を備えているため、大当りが発生し、特別電動役物７０が大入賞口７２を開閉する遊技状態になっているとき、遊技者は、遊技球が保持部に受入れられて保持されるかどうか、非常にハラハラドキドキするスリルに溢れた遊技を楽しむことができる。
（６）カバー１１に排出口１１ｃが形成されていることと、第３種始動口１６ａの形成位置が異なること以外は、第１実施形態のパチンコ機と同一の構成であるため、第１実施形態の効果（１）、（２）、（４）、（６）、（７）および（８）と同一の効果を奏することができる。
【００６６】
＜第３実施形態＞
次に、この発明の第３実施形態について図９を参照して説明する。
この実施形態のパチンコ機は、大入賞口が開口する契機となる第３種始動口と、大入賞口が閉口する契機となる排出口とを備えたことを特徴とする。
図９（Ａ）は第１の保持部１４ｆがカバー１１の開口部１１ａを介して遊技球を受入れ可能な状態になったところを示す説明図であり、図９（Ｂ）は第１の保持部１４ｆに２個の遊技球が保持された状態を示す説明図であり、図９（Ｃ）は第１の保持部１４ｆが第３種始動口１６ａと連通した状態を示す説明図であり、図９（Ｄ）は第１の保持部１４ｆが排出口１６ｆと連通した状態を示す説明図である。
なお、この実施形態のパチンコ機は、大入賞口７２が閉口する契機となる排出口１６ｆが形成されていることと、第３種始動口１６ａの形成位置が異なること以外は、第１実施形態のパチンコ機と同一の構成および機能であるため、その同一部分の説明を簡略化または省略し、その同一の構成については同一の符号を用いて説明する。
【００６７】
第３種始動口１６ａは、第２実施形態と同じように、回転体２１の裏面の遊技盤５であって、回転体２１の回転中心から見て右斜め上（時計の１時３０分の位置）に開口形成されている。また、その形成位置は、一方の保持部に２個の遊技球が保持されている場合に後から保持された２個目の遊技球Ｐ２の移動経路（回転軌跡）上であり、各保持部にそれぞれ１個の遊技球が保持されている場合に後から保持された遊技球の移動経路（回転軌跡）上でもある。
また、大入賞口７２が閉口する契機となる排出口１６ｆが、回転体２１の裏面の遊技盤５であって、回転中心から見て斜め左上（時計の１０時３０分の位置）に開口形成されている。また、その形成位置は、一方の保持部に２個の遊技球が保持されている場合に最初に保持された１個目の遊技球Ｐ１の移動経路（回転軌跡）上であり、各保持部にそれぞれ１個の遊技球が保持されている場合に最初に保持された遊技球の移動経路（回転軌跡）上でもある。
【００６８】
図９（Ａ）に示すように、第１の保持部１４ｆが真上（時計の１２時の位置）に到達し、カバー１１の開口部１１ａと連通する状態になると、開口部１１ａを介して遊技球を連続２個受入れて保持可能な状態になる。そして、図９（Ｂ）に示すように、開口部１１ａを介して２個の遊技球Ｐ１，Ｐ２が第１の保持部１４ｆに受入れられて保持されると、それら２個の遊技球Ｐ１，Ｐ２は、回転体２１の回転に伴って時計回りに運ばれる。
そして、図９（Ｃ）に示すように、回転体２１が図９（Ｂ）に示す状態から（１／８）回転すると、第１の保持部１４ｆが右斜め上（時計の１時３０分の位置）に到達し、第１の保持部１４ｆと第３種始動口１６ａとが連通する。すると、第１の保持部１４ｆに後から保持された２個目の遊技球Ｐ２のみが第３種始動口１６ａから遊技盤５の裏面側へ排出される。このとき、大当り遊技開始の権利が発生している場合は、大入賞口７２が開口し、大当り遊技の第１ラウンドが開始される。
【００６９】
そして、第３種始動口１６ａから排出されなかった遊技球Ｐ１は第１の保持部１４ｆに保持された状態で運ばれ、回転体２１が図９（Ｂ）に示す状態から（７／８）回転すると、図９（Ｄ）に示すように、第１の保持部１４ｆが左斜め上（時計の１０時３０分の位置）に到達し、第１の保持部１４ｆと排出口１６ｆとが連通する。すると、第１の保持部１４ｆに最初に保持された１個目の遊技球Ｐ１が排出口１６ｆから遊技盤５の裏面側へ排出される。この排出された遊技球Ｐ１は、図示しない検出スイッチによって検出されるが、特別電動役物７０が大入賞口７２を開口しているときに検出されると、大入賞口７２が閉口する。
また、各保持部にそれぞれ遊技球が１個ずつ保持された場合は、第２実施形態において図８（Ｃ）に示したように、後から保持された遊技球Ｐ２が第３種始動口１６ａから排出される。また、先に保持された遊技球Ｐ１は排出口１６ｆから排出される。
以上のように、遊技球を第３種始動口１６ａに入賞させるためには、一方の保持部に遊技球を２個保持させるか、各保持部にそれぞれ遊技球を１個ずつ保持させる必要がある。また、保持された遊技球が排出口１６ｆから排出されると、大入賞口７２が閉口する。
【００７０】
［第３実施形態の効果］
（１）以上のように、第３実施形態のパチンコ機を使用すれば、いずれかの保持部に保持されている遊技球が第３種始動口１６ａから排出されたことが、所定数ラウンドを実行可能な大当り遊技の第１ラウンドが開始する条件に設定されているため、遊技者は、遊技球がいずれかの保持部に保持されるまで遊技球の発射を継続するため、パチンコ機の稼働率を高めることができる。
しかも、遊技者は、いつ遊技球がいずれかの保持部に保持されるかどうか、非常にハラハラドキドキするスリルに溢れた遊技を楽しむことができる。
また、ラウンドが実行されているときに、いずれかの保持部に保持されている遊技球が排出口１６ｆから排出されたことが、実行されているラウンドが途中で終了する条件に設定されているため、遊技者は、遊技球が排出口１６ｆから排出されてしまわないか、非常にハラハラドキドキするスリルに溢れた遊技を楽しむことができる。
【００７１】
（２）また、いずれかの保持部に遊技球が２個保持され、あるいは、各保持部にそれぞれ遊技球が１個ずつ保持されなければ、遊技球を第３種始動口１６ａに入賞させることができないため、遊技者は、従来のパチンコ機では味わうことのできない新鮮味のある遊技を楽しむことができる。
（３）さらに、いずれかの保持部に遊技球が２個保持された場合と、各保持部にそれぞれ１個ずつ保持された場合とで、大入賞口の開口時間が異なるため、同じラウンド数を実行するとしても遊技に大きな変化が生まれる可能性があるので、遊技に参加している意識が高まり、非常に面白い遊技を楽しむことができる。
また、第３種パチンコ機における大入賞口の閉口契機（ラウンド終了契機）を、これまでの一定の時間ではなく、大入賞口開口（ラウンド開始）のために発射した遊技球と同じものとすることで、新たな遊技性を問うことができる。
（４）さらに、遊技球を第３種始動口１６ａに入賞させるためには、いずれかの保持部に２個の遊技球が連続して保持されるか、あるいは、各保持部にそれぞれ遊技球が１個ずつ保持されるように遊技球を工夫して発射する必要があるため、遊技者の遊技球の発射技術を反映させることができるので、遊技に参加している意識が高まり、非常に面白い遊技を楽しむことができる。
【００７２】
（５）大入賞口閉口契機となる排出口１６ｆが形成されていることと、第３種始動口の形成位置が異なること以外は、第１実施形態のパチンコ機１と同一の構成であるため、第１実施形態の効果（１）、（６）、（７）および（８）と同一の効果を奏することができる。
（６）大入賞口閉口契機となる排出口１６ｆが形成されていることと、第３種始動口の形成位置が異なること以外は、第２実施形態のパチンコ機１と同一の構成および機能であるため、第２実施形態の効果（１）および（３）と同一の効果を奏することができる。
【００７３】
＜第４実施形態＞
次に、この発明の第４実施形態について図１０を参照して説明する。
この実施形態のパチンコ機は、保持部から遊技盤の裏面側へ排出された遊技球を遊技領域へ戻す戻し口を備えており、その戻し口から流出した遊技球が大入賞口内部の特定領域に入賞すると大当り遊技のラウンド継続条件が成立することを特徴とする。
図１０（Ａ）は第１の保持部１４ｆがカバー１１の開口部１１ａを介して遊技球を受入れ可能な状態になったところを示す説明図であり、図１０（Ｂ）は第１の保持部１４ｆに２個の遊技球が保持された状態を示す説明図であり、図１０（Ｃ）は第１の保持部１４ｆが排出口１６ｆと連通した状態を示す説明図であり、図１０（Ｄ）は第１の保持部１４ｆが第３種始動口１６ａと連通した状態を示す説明図である。
なお、この実施形態のパチンコ機は、第３種始動口１６ａおよび排出口１６ｆの形成位置が異なることと、排出口１６ｆから遊技盤５の裏面側へ排出された遊技球を遊技領域へ戻すための戻し口が遊技盤５に形成されていること以外は、第３実施形態のパチンコ機と同一の構成および機能であるため、その同一部分の説明を簡略化または省略し、その同一の構成については同一の符号を用いて説明する。
【００７４】
第３種始動口１６ａは、第３実施形態の排出口１６ｆの形成位置に形成されており、回転体２１の裏面の遊技盤５であって、回転中心から見て斜め左上（時計の１０時３０分の位置）に開口形成されている。また、その形成位置は、一方の保持部に２個の遊技球が保持されている場合に最初に保持された１個目の遊技球Ｐ１の移動経路（回転軌跡）上であり、いずれかの保持部に１個の遊技球が保持されている場合に、その遊技球の移動経路（回転軌跡）上でもあり、各保持部にそれぞれ１個の遊技球が保持されている場合に、各遊技球の移動経路（回転軌跡）上でもある。
排出口１６ｆは、第３実施形態の第３種始動口１６ａの形成位置に形成されており、回転体２１の裏面の遊技盤５であって、回転体２１の回転中心から見て右斜め上（時計の１時３０分の位置）に開口形成されている。また、その形成位置は、一方の保持部に２個の遊技球が保持されている場合に後から保持された２個目の遊技球Ｐ２の移動経路（回転軌跡）上であり、各保持部にそれぞれ１個の遊技球が保持されている場合に後から保持された遊技球の移動経路（回転軌跡）上でもある。
【００７５】
また、回転入賞装置２３の下方には、特別電動役物７０が配置されている。回転入賞装置２３と特別電動役物７０との間における遊技盤５には、排出口１６ｆから遊技盤５の裏面側へ排出された遊技球を遊技領域へ戻すための戻し口５ａが開口形成されている。排出口１６ｆおよび戻し口５ａは、遊技盤５の裏面側において図示しない連結部材によって連結されており、排出口１６ｆから遊技盤５の裏面側へ排出された遊技球は、その連結部材の内部を流下して戻し口５ａから遊技領域へ流出する。また、回転入賞装置２３の周辺の遊技盤に打ち込まれた遊技釘は、回転入賞装置２３の側方を流下する遊技球が特定領域を通過する確率が低くなるように配置されている。
特別電動役物７０の大入賞口７２の内部には、図示しない特定領域が形成されており、戻し口５ａは、そこから流出した遊技球が、その特定領域を高い確率で通過する位置に形成されている。このパチンコ機では、遊技球が第３種始動口１６ａに入賞したことが、大当り遊技の開始条件に設定されており、遊技球が特定領域を通過したことが、大当り遊技におけるラウンドの継続条件に設定されている。
【００７６】
図１０（Ａ）に示すように、第１の保持部１４ｆが真上（時計の１２時の位置）に到達し、カバー１１の開口部１１ａと連通する状態になると、開口部１１ａを介して遊技球を連続２個受入れて保持可能な状態になる。そして、図１０（Ｂ）に示すように、開口部１１ａを介して２個の遊技球Ｐ１，Ｐ２が第１の保持部１４ｆに受入れられて保持されると、それら２個の遊技球Ｐ１，Ｐ２は、回転体２１の回転に伴って時計回りに運ばれる。
そして、図１０（Ｃ）に示すように、回転体２１が図１０（Ｂ）に示す状態から（１／８）回転すると、第１の保持部１４ｆが右斜め上（時計の１時３０分の位置）に到達し、第１の保持部１４ｆと排出口１６ｆとが連通する。すると、第１の保持部１４ｆに後から保持された２個目の遊技球Ｐ２のみが排出口１６ｆから遊技盤５の裏面側へ排出され、前述した連結部材の内部を流下し、戻し口５ａから遊技領域へ流出する。このとき、大当り遊技が開始されており、大入賞口７２が開口している場合は、戻し口５ａから流出した遊技球は大入賞口７２に入賞し、大入賞口７２の内部の特定領域を高い確率で通過し、次のラウンドへ進む条件が満足される。
【００７７】
そして、排出口１６ｆから排出されなかった遊技球Ｐ１は第１の保持部１４ｆに保持された状態で運ばれ、回転体２１が図１０（Ｂ）に示す状態から（７／８）回転すると、図１０（Ｄ）に示すように、第１の保持部１４ｆが左斜め上（時計の１０時３０分の位置）に到達し、第１の保持部１４ｆと第３種始動口１６ａとが連通する。すると、第１の保持部１４ｆに最初に保持された１個目の遊技球Ｐ１が第３種始動口１６ａから遊技盤５の裏面側へ排出される。このとき、大当り遊技開始の権利が発生している場合は、大当り遊技が開始され、大入賞口７２が開口し、大当り遊技の第１ラウンドが開始される。
【００７８】
［第４実施形態の効果］
（１）以上のように、第４実施形態のパチンコ機を使用すれば、いずれかの保持部に保持されている遊技球が第３種始動口１６ａから排出されたことが、大入賞口７２が複数回開閉可能な大当り遊技が開始されるための条件に設定されているため、遊技者は、遊技球がいずれかの保持部に保持されるまで遊技球の発射を継続するため、パチンコ機の稼働率を高めることができる。
しかも、遊技者は、いつ遊技球がいずれかの保持部に保持されるかどうか、非常にハラハラドキドキするスリルに溢れた遊技を楽しむことができる。
また、戻し口５ａから戻された遊技球が大入賞口７２の内部の特定領域を通過したことが、大入賞口７２の開閉が継続して行われるための条件に設定されており、いずれかの保持部に遊技球が２個保持された状態、あるいは、各保持部に遊技球が１個ずつ保持された状態のどちらかの状態にならないと、遊技球を排出口１６ｆから排出させ、戻し口５ａから遊技領域へ流出させることができないため、遊技者は、そのような状態になるまで遊技球の発射を継続するため、パチンコ機の稼働率を高めることができる。
しかも、遊技者は、いつ上記のような状態になるかどうか、非常にハラハラドキドキするスリルに溢れた遊技を楽しむことができる。また、戻し口５ａから遊技領域に戻った遊技球が大入賞口７２の内部の特定領域を通過するかどうか、非常にハラハラドキドキするスリルに溢れた遊技を楽しむことができる。
【００７９】
（２）排出口１６ｆから排出される遊技球を生み出すためには、いずれかの保持部に対して２個の遊技球が連続して保持されるように、あるいは、各保持部に遊技球が１個ずつ保持されるように遊技球を工夫して発射する必要があるため、遊技者の遊技球発射技術を反映させることができるので、遊技に参加している意識が高まり、非常に面白い遊技を楽しむことができる。
（３）排出口１６ｆおよび戻し口５ａが形成されていることと、第３種始動口１６ａの形成位置が異なることと、ラウンドの継続条件が設定されていること以外は、第１実施形態のパチンコ機と同一の構成であるため、第１実施形態の効果（１）、（６）、（７）および（８）と同一の効果を奏することができる。
【００８０】
（４）排出口１６ｆおよび戻し口５ａが形成されていることと、第３種始動口１６ａの形成位置が異なることと、ラウンドの継続条件が設定されていること以外は、第２実施形態のパチンコ機と同一の構成であるため、第２実施形態の効果（１）および（３）と同一の効果を奏することができる。
【００８１】
＜第５実施形態＞
次に、この発明の第５実施形態について図１１ないし図１４を参照して説明する。
この実施形態のパチンコ機は、図柄表示装置による図柄の変動表示後に大当たり図柄が停止した場合に大当りが発生するパチンコ機であって、図柄の変動開始の契機となる始動口が回転体から排出される遊技球の排出方向に備えられており、始動口毎に大当り発生の確率が異なることを特徴とする。
図１１は、この実施形態のパチンコ機に備えられた遊技盤５を正面から見た概略説明図である。図１２は、図１１に示す遊技盤５に備えられた始動口、普通電動役物および回転振分装置の説明図である。図１２（Ａ）は２個の遊技球が回転体の周面上で停留している状態を示す説明図であり、図１２（Ｂ）は２個の遊技球が第１の保持部１４ｆに保持された状態を示す説明図である。
【００８２】
図１３（Ａ）は２個の遊技球が第１の保持部１４ｆに保持された状態を示す説明図であり、図１３（Ｂ）は後から保持された遊技球Ｐ２が回転体から排出されて右側の始動口（以下、右始動口という）８２に入賞する様子を示す説明図であり、図１３（Ｃ）は最初に保持された遊技球Ｐ１がカバー１１の内壁面によって支持されている状態を示す説明図であり、図１３（Ｄ）は遊技球Ｐ１が回転体から排出されて左側の始動口（以下、左始動口という）８３に入賞する様子を示す説明図であり、図１３（Ｅ）は遊技球Ｐ１が突起部１４ｈによって転動を阻止されている状態を示す一部拡大説明図であり、図１３（Ｆ）は突起部１４ｈの拡大説明図である。
図１４（Ａ）は１個の遊技球Ｐ１が第１の保持部１４ｆに保持された状態を示す説明図であり、図１４（Ｂ）は遊技球Ｐ１の転動が突起部１４ｈによって阻止されている状態を示す説明図であり、図１４（Ｃ）は各保持部に遊技球が１個ずつ保持されている状態を示す説明図であり、図１４（Ｄ）は第１の保持部１４ｆに保持されていた遊技球Ｐ１が左始動口８３に入賞する様子を示す説明図であり、図１４（Ｅ）は第２の保持部１４ｇに保持された遊技球Ｐ２がカバー１１の内壁面によって支持されている状態を示す説明図であり、図１４（Ｆ）は第２の保持部１４ｇに保持されていた遊技球Ｐ２が左始動口８３に入賞する様子を示す説明図である。
なお、第２実施形態のパチンコ機と同一の構成については、説明を簡略化または省略し、同一の符号を用いて説明する。
【００８３】
（回転振分装置などの構成）
図１１に示すように、センターケース３０には、図柄表示装置３７が備えられており、その下方には、図柄表示装置３７が図柄の変動表示を開始する契機となる上始動口８１、右始動口８２および左始動口８３が設けられている。遊技球がいずれかの始動口に入賞すると、所定個数の賞球が上皿６（図１）に払出され、図柄表示装置３７が図柄の変動表示を開始する。
図柄表示装置３７は、複数の特別図柄（例えば、数字を表現した複数の特別図柄０〜９）を配列した図柄列を画面の横方向の複数箇所（例えば３箇所）において上から下へ変動表示（スクロール表示ともいう）する。例えば、図柄列が数字を表現した０〜９の計１０個の図柄である場合は、０、１、２・・９というように昇順に特別図柄が画面を通過するように変動表示する。そして、各表示領域において一斉に図柄列の変動表示を開始した後、所定時間経過すると、例えば、左の表示領域、右の表示領域、中央の表示領域の順に、各図柄列の変動表示が停止し、各表示領域において停止表示された特別図柄の組合せが大当たり図柄であった場合は、大当りが発生する。
【００８４】
大当りが発生すると、遊技盤５上の下部に設けられた変動入賞装置９０が作動し、大入賞口扉９１が開作動し、大入賞口９２が開口する。この大入賞口９２の開口により大当り遊技が開始され、大入賞口９２に遊技球が入賞すると所定個数（例えば１５個）の賞球が上皿６（図１）へ払出される。大入賞口９２に所定個数（例えば１０個）の遊技球が入賞したという条件、または、大入賞口９２が開口してから所定時間（例えば約３０秒）経過したという条件のどちらかが満たされると大入賞口９２が閉口する。大入賞口９２が開口してから閉口するまでを１ラウンドとした場合に、所定数のラウンド（例えば１５ラウンド）が終了すると、大当り遊技が終了する。
【００８５】
また、遊技球が遊技盤５に設けられた普通図柄作動ゲート６８を通過すると、図柄表示装置３７は所定の表示領域において普通図柄の変動表示を開始する。図柄表示装置３７は、複数の普通図柄（例えば、記号を表現した複数の普通図柄○△×）を交互に表示する。そして、普通図柄の変動表示を開始してから所定時間経過すると、普通図柄の変動表示が停止し、そのとき停止表示された普通図柄が当り普通図柄であった場合は、普通電動役物８０が開閉翼片８０ａ，８０ｂを開放する。
図柄表示装置３７が特別図柄を変動表示しているときに遊技球が始動口８２，８３のいずれかに入賞した場合は、その入賞を契機とする特別図柄の変動表示を保留し、その保留された変動表示は、現在行われている特別図柄の変動表示が終了した後に行われる。保留されている数は、保留数として保留数表示装置３９により表示される。この実施形態では、保留数表示装置３９は、４個のＬＥＤにより構成されており、そのＬＥＤの点灯数により保留数を表示する。
【００８６】
図１２に示すように、横方向に配置された２本の遊技釘８１ａ，８１ａにより、遊技球が１個ようやく通過できる間隔の上始動口８１が形成されている。この上始動口８１の下方には、上始動口８１に入賞した遊技球を受入れる上入賞部材８１ｂが設けられており、その上入賞部材８１ｂの内部には、上入賞部材８１ｂに受入れられた遊技球を検出する上始動口スイッチ（図示せず）が設けられている。上入賞部材８１ｂの下方には、普通電動役物８０が配置されており、普通電動役物８０の内部には、開閉翼片８０ａ，８０ｂから入賞した遊技球を検出する検出スイッチが設けられている。普通電動役物８０の下方には回転振分装置８６が配置されている。普通電動役物８０の下部と、回転振分装置８６の上部との間には、複数の遊技釘８５を縦方向に配列した遊技釘列を対向させることにより、流下経路８８が形成されている。流下経路８８は、遊技球が１個ようやく流下できる幅に形成されている。流下経路８８の内部には、遊技盤５の内部から遊技領域へ進退可能なストッパ８４が配置されている。ストッパ８４は、遊技盤５の裏面側に配置されたソレノイドによって駆動される。
【００８７】
図１２（Ａ）に示すように、流下経路８８は、遊技領域へ進出したストッパ８４の下面と回転体８７の周面との間に２個の遊技球Ｐ１，Ｐ２が縦方向に並ぶ長さに形成されている。普通電動役物８０は、開閉可能な開閉翼片８０ａ，８０ｂを備えており、底部には、開放した開閉翼片８０ａ，８０ｂから入賞した遊技球を流下させるための開口部が形成されている。図１２（Ｂ）に示すように、ストッパ８４が遊技領域へ進出すると、普通電動役物８０の底部から流下した遊技球Ｐ３は、ストッパ８４によって流下を阻止され、ストッパ８４の上面に停留する。また、ストッパ８４が遊技盤５の内部に退避すると、ストッパ８４の上面に停留していた遊技球Ｐ３は、流下経路８８を流下する。
【００８８】
回転振分装置８６を構成するカバー１１の右斜め下（時計の４時３０分の位置）には、第１の保持部１４ｆまたは第２の保持部１４ｇに保持されている遊技球を排出するための第１の排出口１１ｄが開口形成されており、左斜め下（時計の７時３０分の位置）には、第２の排出口１１ｃが開口形成されている。
図１３（Ｅ）に示すように、第１の保持部１４ｆの内壁面には、最初に保持された遊技球Ｐ１の転動を阻止するための突起部１４ｈが形成されている。突起部１４ｈは、図１３（Ａ）に示すように、第１の保持部１４ｆが真上（時計の１２時の位置）になったときの右側の内壁面、つまり回転体８７の回転方向側の内壁面に形成されている。突起部１４ｈは、図６（Ｆ）に示すように、縦断面の形状が三角形に形成されており、その頂点１４ｈｂが遊技球に当接することにより、遊技球の転動を阻止している。また、斜面１４ｈａは、保持部の開口部が斜め上方を向いたときに、保持部内の外側寄りで保持されていた遊技球が転動して乗り越えることができる角度に傾斜している。
また、突起部１４ｈは、図１３（Ｂ）に示すように、第１の保持部１４ｆが第１の排出口１１ｄと連通した状態になったときには遊技球Ｐ１が転動して第１の排出口１１ｄから排出されることがなく、かつ、図１３（Ｃ）に示すように、第１の保持部１４ｆが第１の排出口１１ｄを通過し、真下（時計の６時の位置）に到達したときには、遊技球Ｐ１が突起部１４ｈによる阻止が解除され、第１の保持部１４ｆの開口部まで転動し、さらに図１３（Ｄ）に示すように、第１の保持部１４ｆが第２の排出口１１ｃと連通した状態になったときには、転動して第２の排出口１１ｃから排出される突出量に形成されている。
【００８９】
また、第２の保持部１４ｇの回転方向の内壁面にも、第１の保持部１４ｆの内壁面に形成された突起部１４ｈと同じ構成および作用の突起部１４ｉが形成されている。
第１の排出口１１ｄの外方の近傍であって、第１の排出口１１ｄから排出された遊技球の流下方向には、横方向に配置された２本の遊技釘８２ａ，８２ｂにより、遊技球が１個ようやく通過できる間隔の右始動口８２が形成されている。右始動口８２の下方には、右始動口８２に入賞した遊技球を受入れる右入賞部材８２ｄが設けられている。
遊技釘８２ａの斜め右上には、遊技釘８２ｃが配置されており、遊技釘８２ａ，８２ｃ間の間隔は、第１の排出口１１ｄの開口幅と対応しており、第１の排出口１１ｄから排出された遊技球がようやく１個通過できる間隔が形成されている。また、第１の排出口１１ｄから排出された遊技球は、遊技釘８２ｂに衝突し、その流下方向が下方に変更されるため、確実に右始動口８２に入賞する。
【００９０】
第２の排出口１１ｃの外方の近傍であって、第２の排出口１１ｃから排出された遊技球の流下方向には、横方向に配置された２本の遊技釘８３ａ，８３ｂにより、遊技球が１個ようやく通過できる間隔の左始動口８３が形成されている。左始動口８３の下方には、左始動口８３に入賞した遊技球を受入れる左入賞部材８３ｄが設けられている。
遊技釘８３ａの斜め左上には、遊技釘８３ｃが配置されており、遊技釘８３ａ，８３ｃ間の間隔は、第２の排出口１１ｃの開口幅と対応しており、第２の排出口１１ｃから排出された遊技球がようやく１個通過できる間隔が形成されている。また、第２の排出口１１ｃから排出された遊技球は、遊技釘８３ｂに衝突し、その流下方向が下方に変更されるため、確実に左始動口８３に入賞する。
【００９１】
右入賞部材８２ｄの内部には、右入賞部材８２ｄに受止められた遊技球を検出する右始動口スイッチ（図示せず）が設けられており、左入賞部材８３ｄの内部には、左入賞部材８３ｄに受止められた遊技球を検出する左始動口スイッチ（図示せず）が設けられている。
上始動口スイッチ、右始動口スイッチおよび左始動口スイッチのいずれかにより遊技球が検出されると、パチンコ機に備えられたＣＰＵが大当りか否かの判定（以下、大当り判定という）を実行する。この大当り判定において大当りと判定される確率（以下、大当り確率という）は、各始動口毎に異なるように設定されている。この実施形態では、大当り確率は、右始動口８２に入賞した場合が１／１００であり、左始動口８３に入賞した場合が１／２００であり、上始動口８１に入賞した場合が１／４００である。
つまり、大当り確率は、右始動口８２に入賞した場合が最も高く、上始動口８１に入賞した場合が最も低い。
【００９２】
（回転振分装置８６の動作）
回転体８７は、常時一定速度（例えば、５秒で１回転）で時計回りに回転している。遊技球が普通図柄作動ゲート６８を通過すると、図柄表示装置３７が普通図柄の変動表示を開始する。その変動表示の開始から所定時間経過すると、普通図柄の変動表示が終了し、所定の普通図柄が停止表示される。このとき、その停止表示された普通図柄が当り普通図柄であった場合は、普通電動役物８０の開閉翼片８０ａ，８０ｂが開放し、この開放に連動してストッパ８４が遊技盤５の内部へ退避する。
そして、開放した開閉翼片８０ａ，８０ｂから遊技球が入賞すると、その入賞した遊技球は、普通電動役物８０内部の検出スイッチによって検出され、普通電動役物８０の底部から下方に排出され、流下経路８８の内部を流下する。このとき、回転体８７のいずれかの保持部がカバー１１の開口部１１ａと連通していない場合は、流下経路８８を流下した遊技球は、回転体８７の周面上に停留する。図１２（Ａ）に示す例では、回転体８７の周面上に２個の遊技球Ｐ１，Ｐ２が上下方向に並んで停留している。
【００９３】
また、いずれかの保持部が開口部１１ａと連通している場合は、流下経路８８を流下した遊技球は、その保持部に受入れられて保持される。そして、開閉翼片８０ａ，８０ｂから入賞した遊技球が、普通電動役物８０の内部に設けられた検出スイッチによって２個検出されると、ストッパ８４が遊技領域へ突出し、開閉翼片８０ａ，８０ｂから入賞した３個目以降の遊技球が流下経路８８を流下するのを阻止する。図１２（Ｂ）に示す例では、３個目の遊技球Ｐ３がストッパ８４の上面に停留しており、流下経路８８の流下を阻止されている。
【００９４】
（いずれかの保持部に遊技球が２個保持された場合）
ここで、図１３（Ａ）に示すように、回転体８７の第１の保持部１４ｆに２個の遊技球Ｐ１，Ｐ２が一度に連続して受入れられ、保持されたとする。遊技球Ｐ１，Ｐ２は、回転体８７の回転に伴って時計回りに運ばれ、図１３（Ｂ）に示すように、第１の保持部１４ｆが右斜め下（時計の４時３０分の位置）に到達し、第１の保持部１４ｆの内壁面が右斜め下に傾斜すると、第１の保持部１４ｆに後から保持された２個目の遊技球Ｐ２は、突起部１４ｈによって転動を阻止されていないため、第１の排出口１１ｄから排出され、遊技釘８２ａ，８２ｃ間を通過し、遊技釘８２ｂに衝突し、右始動口８２に入賞し、右入賞部材８２ｄに受入れられ、右始動口スイッチによって検出される。また、右始動口スイッチによって遊技球が検出されたときにＣＰＵにより大当り判定が実行される。
【００９５】
一方、第１の保持部１４ｆに最初に保持された遊技球Ｐ１は、突起部１４ｈによって転動が阻止されているため、そのまま保持された状態を維持し、時計回りに運ばれる。そして、図１３（Ｃ）に示すように、第１の保持部１４ｆが真下（時計の６時の位置）に到達すると、遊技球Ｐ１は、突起部１４ｈを乗り越え、カバー１１の内周面に当接する。このとき、受入個数調整部材１３が下降し、第２の保持部１４ｇは、遊技球を１個保持可能になる。遊技球Ｐ１は、カバー１１の内周面を転動しながら時計回りに運ばれ、図１３（Ｄ）に示すように、第１の保持部１４ｆが左斜め下（時計の７時３０分の位置）に到達すると、遊技球Ｐ１が第２の排出口１１ｃから排出され、遊技釘８３ａ，８３ｃ間を通過し、遊技釘８３ｂに衝突し、左始動口８３に入賞し、左入賞部材８３ｄに受入れられ、左始動口スイッチによって検出される。また、左始動口スイッチによって遊技球が検出されたときにＣＰＵにより大当り判定が実行される。
【００９６】
また、右始動口スイッチによって遊技球Ｐ２が検出され、左始動口スイッチによって遊技球Ｐ１が検出され、両始動口スイッチによる検出数が２個になると、ストッパ８４が遊技盤５の内部へ退避し、ストッパ８４の上面に停留していた遊技球Ｐ３が流下経路８８を流下し、いずれかの保持部に保持可能となる。
なお、第２の保持部１４ｇに遊技球が２個一度に連続して保持された場合も、その保持された各遊技球は、上記の第１の保持部１４ｆの場合と同様に右始動口８２および左始動口８３にそれぞれ振り分けられる。
以上のように、いずれかの保持部に遊技球が２個保持された場合は、後から保持された２個目の遊技球Ｐ２は右始動口８２に入賞し、最初に保持された遊技球Ｐ１は左始動口８３に入賞する。
つまり、いずれかの保持部に遊技球を２個保持させることができれば、後から保持された遊技球を大当り確率の高い右始動口８２に入賞させることができる。
【００９７】
（各保持部に遊技球が１個ずつ保持された場合）
図１４（Ａ）に示すように、第１の保持部１４ｆに遊技球Ｐ１が１個のみ保持された場合は、その遊技球Ｐ１は突起部１４ｈによって転動が阻止されるため、図１４（Ｂ）に示すように、第１の保持部１４ｆが右斜め下になっても第１の排出口１１ｄからは排出されず、時計回りに運ばれる。このとき、２個目の遊技球Ｐ２が流下経路８８（図１２）を流下し、回転体８７の周面に停留したとする。
そして、図１４（Ｃ）に示すように、第１の保持部１４ｆが真下（時計の６時の位置）に到達したときに、回転体８７の周面に停留していた遊技球Ｐ２が第２の保持部１４ｇに受入れられ、保持される。続いて、図１４（Ｄ）に示すように、第１の保持部１４ｆが左斜め下（時計の７時３０分の位置）に到達し、第２の排出口１１ｃと連通すると、遊技球Ｐ１が第２の排出口１１ｃから排出され、左始動口８３に入賞する。このとき、受入阻止部材１３が第１の保持部１４ｆの方へ移動し、第２の保持部１４ｇ内の外側寄りで保持されていた遊技球Ｐ２が突起部１４ｉを乗り越えて第２の保持部１４ｇの内側へ移動する。
【００９８】
そして、さらに回転体８７が時計回りに回転すると、第２の保持部１４ｇが右斜め下に傾き、第１の排出口１１ｄと連通した状態を通過するが、第２の保持部１４ｇに保持されている遊技球Ｐ２は、突起部１４ｉによって転動が阻止されるため、第１の排出口１１ｄから排出されることはない。続いて、図１４（Ｅ）に示すように、第２の保持部１４ｇが真下（時計の６時の位置）に到達すると、遊技球Ｐ２は突起部１４ｉを乗り越え、カバー１１の内周壁に当接する。続いて、図１４（Ｆ）に示すように、第２の保持部１４ｇが左斜め下（時計の７時３０分の位置）に到達し、第２の排出口１１ｃと連通すると、遊技球Ｐ２は第２の排出口１１ｃから排出され、左始動口８３に入賞する。
以上のように、各保持部に遊技球が１個ずつ保持された場合は、各保持部に保持されている遊技球Ｐ１，Ｐ２は、いずれも左始動口８３に入賞する。
つまり、各保持部に遊技球が１個ずつ保持された場合は、いずれの遊技球も左始動口８３に入賞し、大当り確率の高い右始動口８２に入賞させることができない。
【００９９】
［第５実施形態の効果］
（１）以上のように、第５実施形態のパチンコ機を使用すれば、各保持部には、時間的に先に保持されている遊技球が第１の排出口１１ｄから排出されることを阻止する突起部１４ｈ，１４ｉが備えられているため、時間的に後から保持された遊技球のみを第１の排出口１１ｄから排出し、時間的に先に保持されている遊技球が第１の排出口１１ｄから排出されないように制限することができる。
従って、保持部に保持されている総ての遊技球が一度に排出口から排出される構造の回転体では味わうことのできない新鮮味のある遊技を楽しむことができる。また、保持されている遊技球が排出口から排出されることに対する期待を持つ期間を長くすることができる。
（２）しかも、保持部に保持された遊技球は、排出口から排出され、始動口に受入れられると、当りか否かが判定されるため、遊技者は、遊技球が保持部に受入れられて保持されるかどうか、非常にハラハラドキドキするスリルに溢れた遊技を楽しむことができる。
【０１００】
（３）また、カバー１１には排出口が複数開口形成されており、始動口が各排出口に対応してそれぞれ備えられているため、１つの排出口に対応する始動口が１つだけ設けられている構成よりも変化に富んだ遊技を楽しむことができる。
（４）さらに、大当り確率が各始動口毎に異なるように設定されているため、その確立が各始動口に対して一律に設定されている構成よりも変化に富んだ遊技を楽しむことができる。さらに、どの始動口が当りと判定される確率が高いのか、非常にハラハラドキドキするスリルに溢れた遊技を楽しむことができる。
【０１０１】
（５）保持部に保持されている遊技球を大当り確率の高い右始動口８２に入賞させるためには、普通電動役物８０の開閉翼片８０ａ，８０ｂが開放されたときに、少なくとも２個の遊技球が開閉翼片８０ａ，８０ｂから入賞し、その入賞した遊技球が、いずれかの保持部に一度に連続して２個保持されるように遊技球を工夫して発射する必要があるため、遊技者の遊技球の発射技術を反映させることができるので、遊技に参加している意識が高まり、非常に面白い遊技を楽しむことができる。
（６）ＲＡＭ１１６などのメモリに記憶されている特別図柄の保留数が上限に達している場合でも、回転体８７の各保持部に遊技球を保持させることにより、特別図柄の実質的な保留数を増やすことができる。
【０１０２】
（７）カバー１１に第１の排出口１１ｄおよび第２の排出口１１ｃが開口形成されていることと、第３種始動口が存在しないことと、各保持部の内壁面に突起部が形成されていること以外は、第１実施形態のパチンコ機と同一の構成であるため、第１実施形態の効果（１）および（６）と同一の効果を奏することができる。
【０１０３】
＜第６実施形態＞
次に、この発明の第６実施形態について図１５および図１６を参照して説明する。
この実施形態のパチンコ機は、一方の保持部が２個の遊技球をカバー１１の内周面に沿うように並べて保持可能であり、他方の保持部が２個の遊技球を回転中心方向に向けて重ねて保持可能であることを特徴とする。
図１５は、第２の保持部１４ｎに保持された遊技球が運ばれる様子を示す説明図である。図１５（Ａ）は第２の保持部１４ｎがカバー１１の開口部１１ａを介して遊技球を受入れ可能な状態になったところを示す説明図であり、図１５（Ｂ）は第２の保持部１４ｎに２個の遊技球が保持された状態を示す説明図であり、図１５（Ｃ）は第２の保持部１４ｎが第３種始動口１６ａと連通した状態を示す説明図であり、図１５（Ｄ）は第１の保持部１４ｍが開口部１１ａと対向する位置になった状態を示す説明図であり、図１５（Ｅ）は第２の保持部１４ｎが排出口１６ｇと連通した状態を示す説明図であり、図１５（Ｆ）は第２の保持部１４ｎが開口部１１ａに近づいた状態を示す説明図である。
図１６は、第１の保持部１４ｍに保持された遊技球が運ばれる様子を示す説明図である。図１６（Ａ）は第１の保持部１４ｍがカバー１１の開口部１１ａを介して遊技球を受入れ可能な状態になったところを示す説明図であり、図１６（Ｂ）は第１の保持部１４ｍに２個の遊技球が保持された状態を示す説明図であり、図１６（Ｃ）は第２の保持部１４ｎに１個の遊技球が保持された状態を示す説明図であり、図１６（Ｄ）は第２の保持部１４ｎが第３種始動口１６ａと連通した状態を示す説明図であり、図１６（Ｅ）は第１の保持部１４ｍが排出口１６ｇと連通した状態を示す説明図であり、図１６（Ｆ）は第１の保持部１４ｍが開口部１１ａに近づいた状態を示す説明図である。
なお、他の実施形態のパチンコ機と同一の構成および機能については、説明を簡略化または省略し、その同一の構成については同一の符号を用いて説明する。
【０１０４】
（回転体の構造）
外周部材１４ｊ，１４ｋを相対向させて形成される第１の保持部１４ｍは、２個の遊技球をカバー１１の内周面に沿うように並べて保持可能な大きさおよび形状に形成されている。また、回転中心を挟んで第１の保持部１４ｍの反対側に形成された第２の保持部１４ｎは、第２実施形態の第１の保持部１４ｆと同様に、２個の遊技球を回転中心方向に向けて重ねて保持可能な大きさおよび形状に形成されている。
受入個数調整部材２５の他端２５ｂは、第２実施形態の受入個数調整部材１３の他端１３ｅと同一の形状であるが、一端２５ｃは縦断面が矢印の形状に形成されている。図１５（Ｄ）に示すように、一端２５ｃが真上（時計の１２時の位置）を向いたときに、一端２５ｃの右側には、遊技球を保持する右保持部２５ｄが形成されており、一端２５ｃの左側には、遊技球を保持する左保持部２５ｅが形成されている。右保持部２５ｄおよび左保持部２５ｅの縦断面形状は、それぞれ遊技球の外周形状に対応した円弧状に形成されている。
【０１０５】
右保持部２５ｄの右端には、係止片２５ｆが形成されており、左保持部２５ｅの左端には、係止片２５ｇが形成されている。係止片２５ｆ，２５ｇは、図１６（Ａ）に示すように、受入個数調整部材２５の一端２５ｃが上方を向く姿勢になったときに、第１の保持部１４ｍの底部に係止され、受入個数調整部材２５の下降を制限する。つまり、第１の保持部１４ｍにおいて２個の遊技球がカバー１１の内周面に沿うように並べて保持可能な空間を形成する。
第３種始動口１６ａは、回転体２４の裏面の遊技盤５であって、回転体２４の回転中心から見て右斜め上（時計の１時３０分の位置）に開口形成されている。その形成位置は、図１６（Ｃ），（Ｄ）に示すように、第１の保持部１４ｍに２個の遊技球Ｐ１，Ｐ２が保持されており、第２の保持部１４ｎに１個の遊技球Ｐ３が保持されている場合の第２の保持部１４ｎに保持されている遊技球Ｐ３の移動経路（回転軌跡）上である。つまり、第１の保持部１４ｍに遊技球が２個または１個保持されているときに第２の保持部１４ｎに遊技球を１個保持させなければ、第２の保持部１４ｎに保持されている遊技球を第３種始動口１６ａに入賞させることができない構成になっている。
【０１０６】
排出口１６ｇは、回転体２４の裏面の遊技盤５であって、回転体２４の回転中心から見て左方からやや斜めに下がった位置（時計の８時の位置）であり、かつ、第３種始動口１６ａと回転中心を挟んで対向しない位置に開口形成されている。その形成位置は、第１の保持部１４ｍに保持されている遊技球Ｐ１，Ｐ２および第２の保持部１４ｎに保持されている遊技球Ｐ３の移動経路（回転軌跡）上である。つまり、いずれの保持部に保持されている遊技球も排出口１６ｇから排出可能に構成されている。
排出口１６ｇを入賞口に設定し、遊技球が第３種始動口１６ａに入賞した場合の賞球数と、排出口１６ｇから排出されたときの賞球数とが異なるように設定することもできる。例えば、第３種始動口１６ａに入賞した場合の賞球数は５個とし、排出口１６ｇに入賞したときの賞球数は１個（０個でもよい）とする。
【０１０７】
（第２の保持部１４ｎに遊技球が２個保持された場合）
図１５（Ａ）に示すように、第２の保持部１４ｎが真上（時計の１２時の位置）に到達し、カバー１１の開口部１１ａと連通したときに、図１５（Ｂ）に示すように、第２の保持部１４ｎに２個の遊技球Ｐ１，Ｐ２が連続して受入れられ、保持されたとする。それら２個の遊技球Ｐ１，Ｐ２は、回転体２４の回転に伴って時計回りに運ばれるが、図１５（Ｃ）に示すように、遊技球Ｐ１，Ｐ２は、共に第３種始動口１６ａに入賞しないで通過する。
そして、図１５（Ｄ）に示すように、第２の保持部１４ｎが真下（時計の６時の位置）に到達すると、第１の保持部１４ｍは真上（時計の１２時の位置）になるが、第２の保持部１４ｎには２個の遊技球Ｐ１，Ｐ２が保持されており、それら遊技球Ｐ１，Ｐ２によって受入個数調整部材２５の下降が阻止されている。このため、受入個数調整部材２５の一端２５ｃは、第１の保持部１４ｍの内部上方まで突出しており、開口部１１ａから遊技球Ｐ３が第１の保持部１４ｍに受入れられて保持されるのが阻止されている。
【０１０８】
そして、第２の保持部１４ｎが時計の８時の位置に到達すると、第２の保持部１４ｎと排出口１６ｇとが連通し、先に遊技球Ｐ１が排出口１６ｇから遊技盤５の裏面側へ排出され、続いて遊技球Ｐ２が排出口１６ｇから排出される。また、第１の保持部１４ｍへの受入れが阻止された遊技球Ｐ３は、開口部１１ａに嵌り込み、回転体２４の周面上に停留する。そして、さらに回転体２４が時計回りに回転し、第２の保持部１４ｎが真上に到達すると、回転体２４の周面上に停留していた遊技球Ｐ３が第２の保持部１４ｎに受入れられて保持される。この第２の保持部１４ｎに保持された遊技球は、排出口１６ｇから排出される。
【０１０９】
（第１の保持部１４ｍに遊技球が２個保持された場合）
図１６（Ａ）に示すように、第１の保持部１４ｍの右側の部分、つまり右保持部２５ｄがカバー１１の開口部１１ａと連通する位置に到達すると、開口部１１ａから遊技球を１個右保持部２５ｄに受入れて保持可能となる。また、第１の保持部１４ｍの左側の部分、つまり左保持部２５ｅが開口部１１ａと連通する位置に到達すると、開口部１１ａから遊技球を１個左保持部２５ｅに受入れて保持可能となる。ここで、図１６（Ｂ）に示すように、右保持部２５ｄ、左保持部２５ｅに連続して遊技球Ｐ１，Ｐ２が保持されたとする。
そして、図１６（Ｃ）に示すように、第１の保持部１４ｍが真下（時計の６時の位置）に到達すると、第２の保持部１４ｎが真上（時計の１２時の位置）に到達し、開口部１１ａと連通する。このとき、受入個数調整部材２５の一端２５ｃは、右保持部２５ｄおよび左保持部２５ｅによって保持されている遊技球Ｐ１，Ｐ２によって下降が阻止されているため、他端２５ｂは、第２の保持部１４ｎの内部の中程に突出している。このため、第２の保持部１４ｎには、遊技球を１個のみ保持可能な空間が形成されている。
【０１１０】
ここで、図１６（Ｃ）に示すように、遊技球Ｐ３がカバー１１の開口部１１ａから第２の保持部１４ｎに受入れられて保持されたとする。このとき、遊技球Ｐ３に続く遊技球Ｐ４は、第２の保持部１４ｎに保持されている遊技球Ｐ３によって受入れが阻止される。
つまり、第１の保持部１４ｍおよび第２の保持部１４ｎにそれぞれ保持されている遊技球の個数の配分が、２対１になったときに、４個目以降の遊技球の受入れが阻止される。また、図示しないが、上記遊技球の配分が１対１になったときは、第２の保持部１４ｎに保持可能な遊技球は１個のみとなる。
そして、さらに回転体２４が時計回りに回転し、図１６（Ｄ）に示すように、第２の保持部１４ｎが第３種始動口１６ａと連通すると、第２の保持部１４ｎに保持されている遊技球Ｐ３が第３種始動口１６ａに入賞する。このとき、第１の保持部１４ｍは、まだ排出口１６ｇには達していないため、第１の保持部１４ｍに保持されている遊技球Ｐ１，Ｐ２は排出口１６ｇから排出されない。続いて、図１６（Ｅ）に示すように、第１の保持部１４ｍが排出口１６ｇと連通すると、第１の保持部１４ｍに保持されている遊技球Ｐ１，Ｐ２が排出口１６ｇから順に排出される。
また、右保持部２５ｄおよび左保持部２５ｅの一方にのみ遊技球が保持されている場合は、その遊技球が排出口１６ｇから排出される。
そして、さらに回転体２４が時計回りに回転し、右保持部２５ｄが開口部１１ａと連通すると、回転体２４の周面上に停留している遊技球Ｐ４が第１の保持部１４ｍに保持される。
【０１１１】
［第６実施形態の効果］
（１）以上のように、第６実施形態のパチンコ機を使用すれば、受入個数調整部材２５は、第１の保持部１４ｍおよび第２の保持部１４ｎにそれぞれ保持されている遊技球の個数の配分が、２対１または１対１になったときに、第２の保持部１４ｎに対する遊技球の受入れを阻止する状態になるように構成されているため、各保持部に保持されている遊技球の個数の配分に関係なく、遊技球の受入れを阻止する状態になる回転体では味わうことのできない変化に富んだ遊技を楽しむことができる。
特に、遊技球の受入れを阻止する状態にしたくない場合は、各保持部に保持されている遊技球の個数の配分が特定の配分にならないように遊技球を発射しなければならないため、非常にスリルのある遊技を楽しむことができる。
【０１１２】
（２）また、第１の保持部１４ｍは、カバー１１の開口部１１ａから受け入れた２個の遊技球をカバー１１の内周面に沿うように並べて保持可能な構造であるため、そのような構造をしていない従来の回転体では味わうことのできない新鮮味のある遊技を楽しむことができる。
（３）さらに、各保持部に保持されている遊技球の回転軌跡の途中に排出口１６ｇが存在するため、保持部に保持されている遊技球を排出口１６ｇから連続して排出することができるので、保持されている遊技球の排出残しが発生するおそれがない。
【０１１３】
（４）第２の保持部１４ｎは、開口部１１ａから受け入れた２個の遊技球を回転中心方向に向けて重ねて保持可能な構造であるため、そのような構造をしていない従来の回転体では味わうことのできない新鮮味のある遊技を楽しむことができる。
（５）第１の保持部１４ｍに遊技球が２個保持されている場合は、第２の保持部１４ｎに最初に保持された遊技球のみが第３種始動口１６ａに入賞するため、第３種始動口１６ａへの入賞数を制限することができる。
（６）第２の保持部１４ｎに保持されている遊技球が第３種始動口１６ａから排出されたことが、所定数ラウンドを実行可能な大当り遊技の第１ラウンドが開始する条件に設定されているため、遊技者は、遊技球がいずれかの保持部に保持されるまで遊技球の発射を継続するため、パチンコ機の稼働率を高めることができる。
しかも、遊技者は、いつ遊技球が第２の保持部１４ｎに保持されるかどうか、非常にハラハラドキドキするスリルに溢れた遊技を楽しむことができる。
【０１１４】
（７）また、第１の保持部１４ｍに遊技球が２個（または１個）保持され、かつ、第２の保持部１４ｎに遊技球が１個保持されなければ、遊技球を第３種始動口１６ａに入賞させることができないため、遊技者は、従来のパチンコ機では味わうことのできない新鮮味のある遊技を楽しむことができる。
また、遊技者の遊技球発射技術を反映させることができるので、遊技に参加している意識が高まり、非常に面白い遊技を楽しむことができる。
（８）上記第６実施形態のパチンコ機は、一方の保持部おける遊技球の並べ方が異なることと、第３種始動口１６ａの形成位置が異なることと、排出口１６ｇが形成されていること以外は、第１実施形態のパチンコ機と同一の構成および機能であるため、第１実施形態の効果（１）ないし（８）と同一の効果を奏することができる。
【０１１５】
（９）上記第６実施形態のパチンコ機は、第３種始動口１６ａの形成位置が異なることと、一方の保持部における遊技球の並べ方が異なることと、排出口１６ｇが形成されていることと、カバー１１に排出口１１ｃが形成されていないこと以外は、第２実施形態のパチンコ機と同一の構成および機能であるため、第２実施形態の効果（１）と同一の効果を奏することができる。
【０１１６】
＜第７実施形態＞
次に、この発明の第７実施形態について図１７および図１８を参照して説明する。
この実施形態のパチンコ機は、保持部に保持されている遊技球が排出口から排出されたことが、大入賞口の開口および閉口の契機に設定されていることを特徴とする。
図１７は、第２の保持部１４ｎに保持された遊技球が運ばれる様子を示す説明図である。図１７（Ａ）は第２の保持部１４ｎがカバー１１の開口部１１ａを介して遊技球を受入れ可能な状態になったところを示す説明図であり、図１７（Ｂ）は第２の保持部１４ｎに１個の遊技球が保持された状態を示す説明図であり、図１７（Ｃ）は第２の保持部１４ｎが右斜め上に到達した状態を示す説明図であり、図１７（Ｄ）は第１の保持部１４ｍが開口部１１ａと対向する位置になった状態を示す説明図であり、図１７（Ｅ）は第２の保持部１４ｎが排出口１６ｇと連通した状態を示す説明図であり、図１７（Ｆ）は第１の保持部１４ｍが排出口１６ｇと連通した状態を示す説明図である。
図１８は、第１の保持部１４ｍに保持された遊技球が運ばれる様子を示す説明図である。図１８（Ａ）は第１の保持部１４ｍがカバー１１の開口部１１ａを介して遊技球を受入れ可能な状態になったところを示す説明図であり、図１８（Ｂ）は第１の保持部１４ｍに２個の遊技球が保持された状態を示す説明図であり、図１８（Ｃ）は第２の保持部１４ｎに１個の遊技球が保持された状態を示す説明図であり、図１８（Ｄ）は第１の保持部１４ｍが排出口１６ｇにさしかかった状態を示す説明図であり、図１８（Ｅ）は第１の保持部１４ｍが排出口１６ｇと連通した状態を示す説明図であり、図１８（Ｆ）は第１の保持部１４ｍが開口部１１ａに近づいた状態を示す説明図である。
なお、他の実施形態のパチンコ機と同一の構成および機能については、説明を簡略化または省略し、その同一の構成については同一の符号を用いて説明する。
【０１１７】
この実施形態のパチンコ機に備えられた回転入賞装置の構造は、第３種始動口１６ａを備えていないこと以外は、第６実施形態のパチンコ機と同一である。また、回転体２４は、１６秒周期の一定速度で時計回りに常時回転している。大入賞口７２（図２）が開口している最大時間は１０秒であり、大入賞口７２に遊技球が１０個入賞すると閉口する。
普通図柄表示装置３１（図２）によって当り普通図柄が表示され、開閉部材４３（図２）が開放され、遊技球が特別領域４１（図２）に入賞し、特別領域スイッチ４１ａ（図６）により検出されると、大当り遊技が開始される。ここで、図１７（Ｂ）に示すように、第２の保持部１４ｎに遊技球Ｐ１が１個保持されたとする。この遊技球Ｐ１は、図１７（Ｃ）に示すように、回転体２４の回転に伴って時計回りに運ばれる。ここで、図１７（Ｄ）に示すように、第２の保持部１４ｎが真下（時計の６時の位置）に到達し、第１の保持部１４ｍがカバー１１の開口部１１ａと連通したときに遊技球Ｐ２が第１の保持部１４ｍに保持されたとする。
【０１１８】
そして、図１７（Ｅ）に示すように、第２の保持部１４ｎが排出口１６ｇと連通すると、第２の保持部１４ｎに保持されている遊技球Ｐ１が排出口１６ｇから排出され、所定の検出スイッチによって検出されると大入賞口７２が開口する。そして、図１７（Ｆ）に示すように、第１の保持部１４ｍが排出口１６ｇと連通すると、第１の保持部１４ｍに保持されている遊技球Ｐ２が排出口１６ｇから排出され、上記所定の検出スイッチによって検出されると大入賞口７２が閉口する。このように、排出口１６ｇから遊技球が排出される毎に大入賞口７２は開口および閉口を繰り返す。
つまり、大入賞口７２は、奇数個目の遊技球が排出口１６ｇから排出されたときに開口し、偶数個目の遊技球が排出されたときに閉口する。
【０１１９】
（一方の保持部に１個のみ保持されている場合）
回転体２４は１６秒で１回転するが、大入賞口７２の開口時間は最大１０秒であるため、一方の保持部に遊技球が１個（奇数個目）のみ保持され、他方の保持部には遊技球が保持されなかった場合は、一方の保持部に保持されている遊技球が排出口１６ｇから排出されたことを契機に大入賞口７２が開口し、それから１０秒経過後に大入賞口７２が閉口する。つまり、一方の保持部が排出口１６ｇと連通してから回転体２４が１回転する前に大入賞口７２が閉口する。
従って、遊技者は、一方の保持部に遊技球を１個のみ保持させた場合は、他方の保持部には遊技球が保持されないように遊技球を発射すれば、大入賞口７２を最大の１０秒間開口させておくことができる。
【０１２０】
（各保持部にそれぞれ１個ずつ保持されている場合）
また、各保持部にそれぞれ１個ずつ遊技球が保持されており、最初に排出口１６ｇに到達する保持部に保持されている遊技球が奇数個目であった場合は、その遊技球が排出口１６ｇから排出されると大入賞口７２が開口し、それから約８秒後（回転体２４が約（１／２）回転したとき）に次の保持部が排出口１６ｇに到達し、その保持部に保持されている遊技球（偶数個目）が排出口１６ｇから排出されると大入賞口７２が閉口する。つまり、大入賞口７２が開口してから１０秒経過する前であっても、偶数個目の遊技球が排出口１６ｇから排出された場合は大入賞口７２は閉口する。
従って、大入賞口７２が開口してから８秒未満で大入賞口７２への入賞数が１０個に達するような場合は、遊技者は、各保持部にそれぞれ１個ずつ遊技球が保持されるように遊技球を発射することにより、約８秒間隔で大入賞口７２を開閉させることができるため、効率良くラウンドを消化することができる。
【０１２１】
（一方の保持部に２個保持されている場合）
また、図１８（Ｂ）に示すように、一方の保持部に遊技球が２個保持されている場合は、一方の保持部が排出口１６ｇと連通し、保持されている２個のうち、最初の遊技球（奇数個目）が排出口１６ｇから排出されると大入賞口７２が開口するが、続けて２個目（偶数個目）の遊技球が排出口１６ｇから排出されるため、大入賞口７２はすぐに閉口することになる。つまり、一方の保持部に、遊技球が奇数個目・偶数個目の順に２個保持されている場合は、大入賞口７２が開口している時間が極めて短くなるため、大入賞口７２への入賞数は極めて少なくなる。
従って、遊技者は、大入賞口７２の開口時間を確保するためには、一方の保持部に保持される遊技球が偶数個目・奇数個目の順に保持され、排出口１６ｇから奇数個目・偶数個目の順に排出されないように留意しながら遊技球を発射する必要があるため、非常にスリルのある遊技を楽しむことができる。また、自身の技量を試しながら遊技を楽しむこともできる。
【０１２２】
（第１の保持部１４ｍに２個、第２の保持部１４ｎに１個保持されており、先に第１の保持部１４ｍが排出口１６ｇを通過する場合）
図１８（Ｃ）に示すように、第１の保持部１４ｍに遊技球Ｐ１，Ｐ２が保持されており、第２の保持部１４ｎに遊技球Ｐ３が保持されているとする。また、遊技球Ｐ１が、排出口１６ｇから排出される遊技球として奇数個目であるとすると、遊技球Ｐ２，Ｐ３は、それぞれ偶数個目、奇数個目となるため、遊技球Ｐ１が排出口１６ｇから排出されると大入賞口７２が開口するが、すぐに遊技球Ｐ２が排出口１６ｇから排出されるため、大入賞口７２はすぐに閉口する。そして、その閉口から約８秒経過すると、遊技球Ｐ３が排出口１６ｇから排出され、大入賞口７２が開口する。
また、遊技球Ｐ１が偶数個目である場合は、遊技球Ｐ２，Ｐ３は、それぞれ奇数個目、偶数個目となるため、大入賞口７２が開口しているときに遊技球Ｐ１が排出口１６ｇから排出されると大入賞口７２が閉口するが、すぐに遊技球Ｐ２が排出口１６ｇから排出されるため、大入賞口７２はすぐに開口する。そして、その開口から約８秒経過すると、遊技球Ｐ３が排出口１６ｇから排出され、大入賞口７２が閉口する。
【０１２３】
（第１の保持部１４ｍに２個、第２の保持部１４ｎに１個保持されており、先に第２の保持部１４ｎが排出口１６ｇを通過する場合）
奇数個目の遊技球Ｐ３が第２の保持部１４ｎに保持され、遊技球Ｐ１，Ｐ２の順に第１の保持部１４ｍに保持された場合、遊技球Ｐ１，Ｐ２は、それぞれ偶数個目、奇数個目になるため、遊技球Ｐ３が排出口１６ｇから排出されると大入賞口７２が開口し、その開口から約８秒経過すると、遊技球Ｐ１が排出口１６ｇから排出され、大入賞口７２が閉口するが、すぐに遊技球Ｐ２が排出口１６ｇから排出されるため、大入賞口７２はすぐに開口する。
また、遊技球Ｐ３が偶数個目であるとすると、遊技球Ｐ１，Ｐ２は、それぞれ奇数個目、偶数個目となるため、大入賞口７２が開口しているときに遊技球Ｐ３が排出口１６ｇから排出されると大入賞口７２が閉口する。その閉口から約８秒経過すると、遊技球Ｐ１が排出口１６ｇから排出され、大入賞口７２が開口するが、すぐに遊技球Ｐ２が排出口１６ｇから排出されるため、大入賞口７２はすぐに閉口する。
つまり、遊技球が、第１の保持部１４ｍに２個、第２の保持部１４ｎに１個それぞれ保持されている場合は、どちらの保持部が先に排出口１６ｇを通過するかによって、大入賞口７２の開口時間がかなり変化する。また、第１の保持部１４ｍが先に通過する場合は、遊技球Ｐ１が奇数個目であるか偶数個目であるかによっても、大入賞口７２の開口時間がかなり変化する。
【０１２４】
［第７実施形態の効果］
（１）以上のように、第７実施形態のパチンコ機を使用すれば、各保持部において保持されている遊技球の個数の配分によって、さらに、保持されている遊技球が奇数個目であるか偶数個目であるかによって大入賞口７２の開口時間が異なり、遊技者が獲得する利益が異なる。
従って、遊技者は、大入賞口７２の開口時間が担保されるように留意しながら遊技球を発射することになるため、非常にスリルのある遊技を楽しむことができる。また、自身の技量を試しながら遊技を楽しむことができる。
（２）上記第７実施形態のパチンコ機は、一方の保持部の構造が異なること、第３種始動口１６ａを備えていないこと、排出口１６ｇが大入賞口７２の開閉の契機となること以外は、第１実施形態のパチンコ機と同一の構成および機能であるため、第１実施形態の効果（１）ないし（８）と同一の効果を奏することができる。
【０１２５】
＜第８実施形態＞
次に、この発明の第８実施形態について図１９および図２０を参照して説明する。
この実施形態のパチンコ機は、遊技球が各保持部に保持されている状態を作り出さなければ、遊技球を第３種始動口１６ａに入賞させることができないことを特徴とする。
図１９は、第２の保持部１４ｎに保持された遊技球が運ばれる様子を示す説明図である。図１９（Ａ）は第２の保持部１４ｎがカバー１１の開口部１１ａを介して遊技球を受入れ可能な状態になったところを示す説明図であり、図１９（Ｂ）は第２の保持部１４ｎに２個の遊技球が保持された状態を示す説明図であり、図１９（Ｃ）は第２の保持部１４ｎが右斜め上に到達した状態を示す説明図であり、図１９（Ｄ）は第１の保持部１４ｍが開口部１１ａと対向する位置になった状態を示す説明図であり、図１９（Ｅ）は第２の保持部１４ｎが排出口と連通した状態を示す説明図であり、図１９（Ｆ）は第２の保持部１４ｎが開口部１１ａに近づいた状態を示す説明図である。
図２０は、第１の保持部１４ｍおよび第２の保持部１４ｎに保持された遊技球が運ばれる様子を示す説明図である。図２０（Ａ）は第１の保持部１４ｍがカバー１１の開口部１１ａを介して遊技球を受入れ可能な状態になったところを示す説明図であり、図２０（Ｂ）は第１の保持部１４ｍに２個の遊技球が保持された状態を示す説明図であり、図２０（Ｃ）は第２の保持部１４ｎに１個の遊技球が保持された状態を示す説明図であり、図２０（Ｄ）は第２の保持部１４ｎが第３種始動口１６ａと連通した状態を示す説明図であり、図２０（Ｅ）は第１の保持部１４ｍが排出口１１ｃと連通した状態を示す説明図であり、図２０（Ｆ）は第１の保持部１４ｍが開口部１１ａに近づいた状態を示す説明図である。
なお、他の実施形態のパチンコ機と同一の構成および機能については、説明を簡略化または省略し、その同一の構成については同一の符号を用いて説明する。
【０１２６】
回転体２４の回転中心から見て時計の８時方向のカバー１１には、排出口１１ｃが開口形成されている。また、回転中心から見て時計の１時３０分の方向であって、回転体２４の裏面の遊技盤５には、第３種始動口１６ａが開口形成されている。回転入賞装置の他の構造は、第８実施形態と同一である。
図１９（Ｂ）に示すように、カバー１１の開口部１１ａを介して第２の保持部１４ｎに遊技球Ｐ１，Ｐ２が連続して受入れられて保持され、第１の保持部１４ｍには遊技球が保持されていない状態になると、それら２個の遊技球Ｐ１，Ｐ２は、回転体２４の回転に伴って時計回りに運ばれる。そして、図１９（Ｃ）に示すように、第２の保持部１４ｎが第３種始動口１６ａを通過しても、第３種始動口１６ａは、遊技球Ｐ１，Ｐ２の移動経路（回転軌跡）上に形成されていないため、いずれの遊技球も第３種始動口１６ａに入賞することなく通過する。
【０１２７】
そして、図１９（Ｅ）に示すように、第２の保持部１４ｎが排出口１１ｃと連通すると、第２の保持部１４ｎに保持されている遊技球Ｐ１，Ｐ２が連続して排出口１１ｃから遊技領域へ排出される。つまり、第２の保持部１４ｎにのみ遊技球が保持された場合は、その保持された遊技球は第３種始動口１６ａに入賞することなく総て排出口１１ｃから遊技領域へ排出される。
また、図２０（Ｂ）に示すように、第１の保持部１４ｍに遊技球Ｐ１，Ｐ２が保持された場合は、それら遊技球Ｐ１，Ｐ２の移動経路（回転軌跡）は第３種始動口１６ａと一致しないため、第３種始動口１６ａに入賞することなく通過する。そして、第１の保持部１４ｍが真下（時計の６時の位置）に到達し、第２の保持部１４ｎが開口部１１ａと連通する状態になったときに開口部１１ａから１個の遊技球Ｐ３が第２の保持部１４ｎに受入れられて保持されたとする。この遊技球Ｐ３の移動経路（回転軌跡）は、第３種始動口１６ａと一致するため、図２０（Ｄ）に示すように、第２の保持部１４ｎが第３種始動口１６ａと連通したときに遊技球Ｐ３は第３種始動口１６ａに入賞する。そして、第１の保持部１４ｍが排出口１１ｃを通過すると、第１の保持部１４ｍに保持されている遊技球Ｐ１，Ｐ２が連続して排出口１１ｃから遊技領域へ排出される。
つまり、図２０（Ｃ）に示すように、遊技球が第１の保持部１４ｍに２個保持されており、第２の保持部１４ｎに１個保持された状態になったときに、第２の保持部１４ｎに保持されている遊技球のみが第３種始動口１６ａに入賞する。また、第１の保持部１４ｍに保持される遊技球は１個でもよい。
【０１２８】
［第８実施形態の効果］
（１）以上のように、第８実施形態のパチンコ機を使用すれば、ただ単に保持部に遊技球を保持させるだけでは、保持されている遊技球を第３種始動口１６ａに入賞させることができないため、意図的に回転入賞装置ばかり狙って第３種始動口１６ａに入賞させるような遊技を排除することができる。
（２）上記第８実施形態のパチンコ機は、一方の保持部の構造が異なること、カバー１１に排出口１１ｃが形成されていること、第３種始動口１６ａの形成位置が異なること以外は、第１実施形態のパチンコ機と同一の構成および機能であるため、第１実施形態の効果（１）ないし（８）と同一の効果を奏することができる。
【０１２９】
＜第９実施形態＞
次に、この発明の第９実施形態について図２１を参照して説明する。
この実施形態のパチンコ機は、各保持部共に、それぞれ遊技球を２個保持可能であり、かつ、一方の保持部に遊技球を２個保持させなければ、保持されている遊技球を第３種始動口に入賞させることができないことを特徴とする。第３種始動口１６ａおよび排出口１６ｇの役割は第６実施形態と同じである。
図２１は、保持部に保持された遊技球が運ばれる様子を示す説明図である。図２１（Ａ）は第２の保持部１４ｗがカバー１１の開口部１１ａを介して遊技球を受入れ可能な状態になったところを示す説明図であり、図２１（Ｂ）は第２の保持部１４ｗに２個の遊技球が保持された状態を示す説明図であり、図２１（Ｃ）は第２の保持部１４ｗが第３種始動口１６ａと連通した状態を示す説明図であり、図２１（Ｄ）は第１の保持部１４ｖが開口部１１ａを介して遊技球を受入れ可能な状態になったところを示す説明図であり、図２１（Ｅ）は第１の保持部１４ｖが第３種始動口１６ａと連通した状態を示す説明図であり、図２１（Ｆ）は第２の保持部１４ｗが開口部１１ａにさしかかったところを示す説明図である。
なお、他の実施形態のパチンコ機と同一の構成および機能については、説明を簡略化または省略し、その同一の構成については同一の符号を用いて説明する。
【０１３０】
受入個数調整部材２９の一端２９ｃは、遊技球の外形に対応した円弧状に形成されており、図２１（Ｄ）に示すように、遊技球を１個保持可能に形成されている。他端２９ｂは、他の実施形態の受入個数調整部材の他端と同じ形状に形成されている。また、外周部材１４ｐ，１４ｑを対向させて形成された第１の保持部１４ｖのうち、回転体２８の回転中心近傍の角部は、角形に形成されており、図２１（Ｄ）に示すように、受入個数調整部材２９の一端２９ｃのうち、回転中心側の形状は、第１の保持部１４ｖの角部に対応した形状に形成されている。第２の保持部１４ｗの形状は、他の実施形態における第２の保持部と同じ形状に形成されている。また、各保持部は、それぞれ２個の遊技球を回転中心に向けて重ねて保持可能に形成されている。
【０１３１】
図２１（Ｂ）に示すように、第２の保持部１４ｗに２個の遊技球Ｐ１，Ｐ２が保持されると、それら２個の遊技球は回転体２８の回転に伴って時計回りに運ばれる。そして、図２１（Ｃ）に示すように、第２の保持部１４ｗが右斜め上（時計の１時３０分の位置）に到達し、第３種始動口１６ａと連通すると、第２の保持部１４ｗに後から保持された２個目の遊技球Ｐ２が第３種始動口１６ａに入賞する。そして、図２１（Ｄ）に示すように、第２の保持部１４ｗが真下（時計の６時の位置）に到達すると、第１の保持部１４ｖは真上（時計の１２時の位置）に到達し、開口部１１ａと連通する。
【０１３２】
このとき、図示のように、遊技球Ｐ３が第１の保持部１４ｖに受入れられて保持されたとする。第１の保持部１４ｖが右斜め上に到達し、第３種始動口１６ａと連通しても、第１の保持部１４ｖに保持されている遊技球Ｐ３の移動経路は、第３種始動口１６ａを通過しないため、遊技球Ｐ３は、第３種始動口１６ａに入賞することなく、回転体２８の回転に伴って時計回りに運ばれる。
続いて、第２の保持部１４ｗが時計の８時の位置に到達し、排出口１６ｇと連通すると、第２の保持部１４ｗに最初に保持されていた遊技球Ｐ１が排出口１６ｇから排出される。同様に、第１の保持部１４ｖが時計の８時の位置に到達すると、第１の保持部１４ｖに保持されている遊技球Ｐ３が排出口１６ｇから排出される。
【０１３３】
また、第１の保持部１４ｖに遊技球が２個保持された場合は、後から保持された遊技球が第３種始動口１６ａに入賞する。また、図２１（Ｄ）に示すように、第２の保持部１４ｗに遊技球が１個保持されている場合は、第１の保持部１４ｖは遊技球を２個保持可能であり、第２の保持部１４ｗの保持数が２個に増加すると、保持可能数は１個に減少する。
また、第１の保持部１４ｖに遊技球が１個保持されている場合は、第２の保持部１４ｗは遊技球を２個保持可能であり、第１の保持部１４ｖの保持数が２個に増加すると、保持可能数は１個に減少する。
つまり、一方の保持部の保持数が０個または１個である場合は、他方の保持部の保持可能数は２個であり、一方の保持部の保持数が２個に増加すると、他方の保持部の保持可能数は１個に減少する。
【０１３４】
［第９実施形態の効果］
（１）以上のように、上記第９実施形態のパチンコ機は、第３種始動口１６ａの形成位置が異なることと、排出口１６ｇが形成されていることと、一方の保持部の保持数と他方の保持部の保持可能数との関係が異なることと、一方の保持部の形状が異なることと、受入個数調整部材の一端の形状が異なること以外は、第１実施形態のパチンコ機と同一の構成および機能であるため、第１実施形態の効果（１）ないし（４）および（６）ないし（８）と同一の効果を奏することができる。
（２）また、上記第９実施形態のパチンコ機は、排出口１６ｇが形成されていることと、カバー１１に排出口１１ｃが形成されていないことと、一方の保持部の保持数と他方の保持部の保持可能数との関係が異なることと、一方の保持部の形状が異なることと、受入個数調整部材の一端の形状が異なること以外は、第２実施形態のパチンコ機と同一の構成および機能であるため、第２実施形態の効果（１）および（５）と同一の効果を奏することができる。
（３）さらに、上記第９実施形態のパチンコ機は、一方の保持部の保持数と他方の保持部の保持可能数との関係が異なることと、一方の保持部における遊技球の並び方が異なること以外は、第６実施形態のパチンコ機と同一の構成および機能であるため、第６実施形態の効果（２）ないし（５）と同一の効果を奏することができる。
【０１３５】
＜他の実施形態＞
（１）第１ないし第８実施形態において、モータ２０の回転シャフト２０ａが、受入個数調整部材の長孔に挿通されてなくても良い。また、孔が形成されてなくても良い。
（２）各実施形態において、受入個数調整部材の形状は、長円形状以外に横長の板状、角柱状、円柱状などでも良く、形状は問わない。
（３）前板１２、後板１５および外周部材は一体形成しても良い。
（４）各実施形態の回転入賞装置を適用できるパチンコ機の機種は限定されない。
【０１３６】
（５）第１ないし第４実施形態および第６ないし第９実施形態の各回転入賞装置は、第５実施形態において説明したパチンコ機（従来、第１種パチンコ機と呼ばれていたもの）にも使用することができる。
（６）各実施形態の回転入賞装置は、普通入賞口を開閉する入賞装置の上方または近傍に設けることもできる。
（７）第３種始動口および排出口など、保持部に保持されている遊技球が排出される開口部が複数形成されている場合に、各開口部毎に賞球数が異なるように設定することができる。この場合、所定の開口部については賞球数を０にしてもよい。
【図面の簡単な説明】
【０１３７】
【図１】この発明の実施形態に係るパチンコ機の外観を正面から見た説明図である。
【図２】図１に示すパチンコ機に備えられた遊技盤を正面から見た概略説明図である。
【図３】回転入賞装置１０の斜視図である。
【図４】回転入賞装置１０の分解斜視図である。
【図５】図５は、回転体２１が回転する様子を前板１２を外して示す縦断面説明図である。図５（Ａ）は回転体２１の第１の保持部１４ｆの開口部とカバー１１の開口部１１ａとが一致した状態を示す説明図であり、図５（Ｂ）は第１の保持部１４ｆに２個の遊技球が保持された状態を示す説明図であり、図５（Ｃ）は回転体２１が時計回りに（１／２）回転した状態を示す説明図であり、図５（Ｄ）は第１の保持部１４ｆが第３種始動口１６ａと連通した状態を示す説明図であり、図５（Ｅ）は第１の保持部１４ｆに保持されている遊技球Ｐ１が第３種始動口１６ａに入賞することろを示す説明図であり、図５（Ｆ）は遊技球Ｐ１が第３種始動口１６ａに入賞した後の状態を示す説明図である。
【図６】パチンコ機１の主な電気的構成をブロックで示す説明図である。
【図７】図７（Ａ）は、第２実施形態において第１の保持部１４ｆがカバー１１の開口部１１ａを介して遊技球を受入れ可能な状態になったところを示す説明図であり、図７（Ｂ）は第１の保持部１４ｆに２個の遊技球が保持された状態を示す説明図であり、図７（Ｃ）は第１の保持部１４ｆが第３種始動口１６ａと連通した状態を示す説明図であり、図７（Ｄ）は回転体が（１／２）回転した状態を示す説明図であり、図７（Ｅ）は第１の保持部１４ｆに最初に保持されていた１個目の遊技球Ｐ１が排出口１１ｃから排出された状態を示す説明図である。
【図８】図８（Ａ）は第１の保持部１４ｆに遊技球が１個保持されている状態を示す説明図であり、図８（Ｂ）は第１の保持部１４ｆおよび第２の保持部１４ｇにそれぞれ遊技球が１個ずつ保持された状態を示す説明図であり、図８（Ｃ）は第２の保持部１４ｇが第３種始動口１６ａと連通した状態を示す説明図であり、図８（Ｄ）は第１の保持部１４ｆに最初に保持されていた１個目の遊技球Ｐ１が排出口１１ｃから排出された状態を示す説明図である。
【図９】図９（Ａ）は第３実施形態において第１の保持部１４ｆがカバー１１の開口部１１ａを介して遊技球を受入れ可能な状態になったところを示す説明図であり、図９（Ｂ）は第１の保持部１４ｆに２個の遊技球が保持された状態を示す説明図であり、図９（Ｃ）は第１の保持部１４ｆが第３種始動口１６ａと連通した状態を示す説明図であり、図９（Ｄ）は第１の保持部１４ｆが排出口１６ｆと連通した状態を示す説明図である。
【図１０】図１０（Ａ）は第４実施形態において第１の保持部１４ｆがカバー１１の開口部１１ａを介して遊技球を受入れ可能な状態になったところを示す説明図であり、図１０（Ｂ）は第１の保持部１４ｆに２個の遊技球が保持された状態を示す説明図であり、図１０（Ｃ）は第１の保持部１４ｆが排出口１６ｆと連通した状態を示す説明図であり、図１０（Ｄ）は第１の保持部１４ｆが第３種始動口１６ａと連通した状態を示す説明図である。
【図１１】図１１は、第５実施形態のパチンコ機に備えられた遊技盤５を正面から見た概略説明図である。
【図１２】図１１に示す遊技盤５に備えられた始動口、普通電動役物および回転振分装置の説明図である。図１２（Ａ）は２個の遊技球が回転体の周面上で停留している状態を示す説明図であり、図１２（Ｂ）は２個の遊技球が第１の保持部１４ｆに保持された状態を示す説明図である。
【図１３】図１３（Ａ）は２個の遊技球が第１の保持部１４ｆに保持された状態を示す説明図であり、図１３（Ｂ）は後から保持された遊技球Ｐ２が回転体から排出されて右側の始動口（以下、右始動口という）８２に入賞する様子を示す説明図であり、図１３（Ｃ）は最初に保持された遊技球Ｐ１がカバー１１の内壁面によって支持されている状態を示す説明図であり、図１３（Ｄ）は遊技球Ｐ１が回転体から排出されて左側の始動口（以下、左始動口という）８３に入賞する様子を示す説明図であり、図１３（Ｅ）は遊技球Ｐ１が突起部１４ｈによって転動を阻止されている状態を示す一部拡大説明図であり、図１３（Ｆ）は突起部１４ｈの拡大説明図である。
【図１４】図１４（Ａ）は１個の遊技球Ｐ１が第１の保持部１４ｆに保持された状態を示す説明図であり、図１４（Ｂ）は遊技球Ｐ１の転動が突起部１４ｈによって阻止されている状態を示す説明図であり、図１４（Ｃ）は各保持部に遊技球が１個ずつ保持されている状態を示す説明図であり、図１４（Ｄ）は第１の保持部１４ｆに保持されていた遊技球Ｐ１が左始動口８３に入賞する様子を示す説明図であり、図１４（Ｅ）は第２の保持部１４ｇに保持された遊技球Ｐ２がカバー１１の内壁面によって支持されている状態を示す説明図であり、図１４（Ｆ）は第２の保持部１４ｇに保持されていた遊技球Ｐ２が左始動口８３に入賞する様子を示す説明図である。
【図１５】図１５は、第６実施形態において第２の保持部１４ｎに保持された遊技球が運ばれる様子を示す説明図である。図１５（Ａ）は第２の保持部１４ｎがカバー１１の開口部１１ａを介して遊技球を受入れ可能な状態になったところを示す説明図であり、図１５（Ｂ）は第２の保持部１４ｎに２個の遊技球が保持された状態を示す説明図であり、図１５（Ｃ）は第２の保持部１４ｎが第３種始動口１６ａと連通した状態を示す説明図であり、図１５（Ｄ）は第１の保持部１４ｍが開口部１１ａと対向する位置になった状態を示す説明図であり、図１５（Ｅ）は第２の保持部１４ｎが排出口１６ｇと連通した状態を示す説明図であり、図１５（Ｆ）は第２の保持部１４ｎが開口部１１ａに近づいた状態を示す説明図である。
【図１６】図１６は、第１の保持部１４ｍに保持された遊技球が運ばれる様子を示す説明図である。図１６（Ａ）は第１の保持部１４ｍがカバー１１の開口部１１ａを介して遊技球を受入れ可能な状態になったところを示す説明図であり、図１６（Ｂ）は第１の保持部１４ｍに２個の遊技球が保持された状態を示す説明図であり、図１６（Ｃ）は第２の保持部１４ｎに１個の遊技球が保持された状態を示す説明図であり、図１６（Ｄ）は第２の保持部１４ｎが第３種始動口１６ａと連通した状態を示す説明図であり、図１６（Ｅ）は第１の保持部１４ｍが排出口１６ｇと連通した状態を示す説明図であり、図１６（Ｆ）は第１の保持部１４ｍが開口部１１ａに近づいた状態を示す説明図である。
【図１７】図１７は、第７実施形態において第２の保持部１４ｎに保持された遊技球が運ばれる様子を示す説明図である。図１７（Ａ）は第２の保持部１４ｎがカバー１１の開口部１１ａを介して遊技球を受入れ可能な状態になったところを示す説明図であり、図１７（Ｂ）は第２の保持部１４ｎに１個の遊技球が保持された状態を示す説明図であり、図１７（Ｃ）は第２の保持部１４ｎが右斜め上に到達した状態を示す説明図であり、図１７（Ｄ）は第１の保持部１４ｍが開口部１１ａと対向する位置になった状態を示す説明図であり、図１７（Ｅ）は第２の保持部１４ｎが排出口１６ｇと連通した状態を示す説明図であり、図１７（Ｆ）は第１の保持部１４ｍが排出口１６ｇと連通した状態を示す説明図である。
【図１８】図１８は、第１の保持部１４ｍに保持された遊技球が運ばれる様子を示す説明図である。図１８（Ａ）は第１の保持部１４ｍがカバー１１の開口部１１ａを介して遊技球を受入れ可能な状態になったところを示す説明図であり、図１８（Ｂ）は第１の保持部１４ｍに２個の遊技球が保持された状態を示す説明図であり、図１８（Ｃ）は第２の保持部１４ｎに１個の遊技球が保持された状態を示す説明図であり、図１８（Ｄ）は第１の保持部１４ｍが排出口１６ｇにさしかかった状態を示す説明図であり、図１８（Ｅ）は第１の保持部１４ｍが排出口１６ｇと連通した状態を示す説明図であり、図１８（Ｆ）は第１の保持部１４ｍが開口部１１ａに近づいた状態を示す説明図である。
【図１９】図１９は、第８実施形態において第２の保持部１４ｎに保持された遊技球が運ばれる様子を示す説明図である。図１９（Ａ）は第２の保持部１４ｎがカバー１１の開口部１１ａを介して遊技球を受入れ可能な状態になったところを示す説明図であり、図１９（Ｂ）は第２の保持部１４ｎに２個の遊技球が保持された状態を示す説明図であり、図１９（Ｃ）は第２の保持部１４ｎが右斜め上に到達した状態を示す説明図であり、図１９（Ｄ）は第１の保持部１４ｍが開口部１１ａと対向する位置になった状態を示す説明図であり、図１９（Ｅ）は第２の保持部１４ｎが排出口と連通した状態を示す説明図であり、図１９（Ｆ）は第２の保持部１４ｎが開口部１１ａに近づいた状態を示す説明図である。
【図２０】図２０は、第１の保持部１４ｍおよび第２の保持部１４ｎに保持された遊技球が運ばれる様子を示す説明図である。図２０（Ａ）は第１の保持部１４ｍがカバー１１の開口部１１ａを介して遊技球を受入れ可能な状態になったところを示す説明図であり、図２０（Ｂ）は第１の保持部１４ｍに２個の遊技球が保持された状態を示す説明図であり、図２０（Ｃ）は第２の保持部１４ｎに１個の遊技球が保持された状態を示す説明図であり、図２０（Ｄ）は第２の保持部１４ｎが第３種始動口１６ａと連通した状態を示す説明図であり、図２０（Ｅ）は第１の保持部１４ｍが排出口１１ｃと連通した状態を示す説明図であり、図２０（Ｆ）は第１の保持部１４ｍが開口部１１ａに近づいた状態を示す説明図である。
【図２１】図２１は、第９実施形態において保持部に保持された遊技球が運ばれる様子を示す説明図である。図２１（Ａ）は第２の保持部１４ｗがカバー１１の開口部１１ａを介して遊技球を受入れ可能な状態になったところを示す説明図であり、図２１（Ｂ）は第２の保持部１４ｗに２個の遊技球が保持された状態を示す説明図であり、図２１（Ｃ）は第２の保持部１４ｗが第３種始動口１６ａと連通した状態を示す説明図であり、図２１（Ｄ）は第１の保持部１４ｖが開口部１１ａを介して遊技球を受入れ可能な状態になったところを示す説明図であり、図２１（Ｅ）は第１の保持部１４ｖが第３種始動口１６ａと連通した状態を示す説明図であり、図２１（Ｆ）は第２の保持部１４ｗが開口部１１ａにさしかかったところを示す説明図である。
【図２２】従来のパチンコ機に備えられた遊技盤の正面説明図である。
【図２３】図２２に示すパチンコ機に備えられた回転入賞装置の正面拡大図である。
【符号の説明】
【０１３８】
１    パチンコ機
１０    回転入賞装置
１１    カバー
１１ａ  開口部
１３    受入個数調整部材
１４ｆ  第１の保持部
１４ｇ  第２の保持部
１６ａ  第３種始動口（排出口）
２１    回転体
７０    特別電動役物（入賞装置）
７２    大入賞口（入賞口）
【図１】
0004707180.tif 000002
【図２】
0004707180.tif 000003
【図３】
0004707180.tif 000004
【図４】
0004707180.tif 000005
【図５】
0004707180.tif 000006
【図６】
0004707180.tif 000007
【図７】
0004707180.tif 000008
【図８】
0004707180.tif 000009
【図９】
0004707180.tif 000010
【図１０】
0004707180.tif 000011
【図１１】
0004707180.tif 000012
【図１２】
0004707180.tif 000013
【図１３】
0004707180.tif 000014
【図１４】
0004707180.tif 000015
【図１５】
0004707180.tif 000016
【図１６】
0004707180.tif 000017
【図１７】
0004707180.tif 000018
【図１８】
0004707180.tif 000019
【図１９】
0004707180.tif 000020
【図２０】
0004707180.tif 000021
【図２１】
0004707180.tif 000022
【図２２】
0004707180.tif 000023
【図２３】
0004707180.tif 000024